(57)【特許請求の範囲】
【請求項１】
スイッチング動作を行うことにより、入力信号に基づいて第１の交流信号を生成するスイッチング部と、
前記スイッチング部における入力電流に基づいて前記第１の交流信号の信号振幅を増加させる振幅制御を行うように、前記スイッチング動作を制御する制御部と、
前記第１の交流信号の互いに異なる負荷への供給をオンオフする複数のスイッチと
を備え、
前記制御部は、前記複数のスイッチのうちの１つ以上がオフからオンに変化する際に、前記振幅制御を行う
電源装置。
【請求項２】
前記制御部は、前記入力電流が所定の電流値を超えないように、前記信号振幅を所定量ずつ増加させる
請求項１に記載の電源装置。
【請求項３】
前記制御部は、前記入力電流に基づいて、前記信号振幅を増加させるタイミングを決定する
請求項１または請求項２に記載の電源装置。
【請求項４】
前記制御部は、前記第１の交流信号に基づいて、前記スイッチング動作を制御する
請求項１から請求項３のいずれか一項に記載の電源装置。
【請求項５】
前記スイッチング部は、
前記入力信号が供給される第１の端子と、第２の端子とを含み、前記第１の端子と前記第２の端子との間をオンオフする第１のスイッチング回路と、
前記第１のスイッチング回路の前記第２の端子と接続される第３の端子と、第４の端子とを含み、前記第３の端子と前記第４の端子との間をオンオフする第２のスイッチング回路と
を有し、
前記制御部は、
前記スイッチング部が前記第１の交流信号を生成しないように制御する第１のモードおよび第２のモードを有し、
前記第１のモードにおいて、前記第１のスイッチング回路および前記第２のスイッチング回路のうちの少なくとも一方をオフさせるように前記スイッチング動作を制御し、
前記第２のモードにおいて、前記第１のスイッチング回路および前記第２のスイッチング回路のうちの少なくとも一方をオフに固定させる
請求項１から請求項４のいずれか一項に記載の電源装置。
【請求項６】
前記スイッチング部は、ヒータに対して前記第１の交流信号を供給する
請求項１から請求項５のいずれか一項に記載の電源装置。
【請求項７】
スイッチング動作を行うことにより、入力信号に基づいて第１の交流信号を生成するスイッチング部と、
前記スイッチング部における入力電流に基づいて前記第１の交流信号の信号振幅を増加させる振幅制御を行うように、前記スイッチング動作を制御する制御部と、
前記第１の交流信号の負荷への供給をオンオフするスイッチと
を備え、
前記制御部は、前記スイッチがオンからオフに変化して、所定時間が経過した後に再度オンに変化する際に、前記振幅制御を行う
電源装置。
【請求項８】
スイッチング動作を行うことにより、直流信号である入力信号に基づいて第１の交流信号を生成するスイッチング部と、
前記スイッチング部における入力電流に基づいて前記第１の交流信号の信号振幅を増加させる振幅制御を行うように、前記スイッチング動作を制御する制御部と、
第２の交流信号に基づいて前記直流信号を生成する力率改善回路と
を備えた電源装置。
【請求項９】
前記第２の交流信号に同期した同期信号を生成する同期信号生成部をさらに備え、
前記制御部は、前記同期信号に基づいて、前記第１の交流信号の周波数を前記第２の交流信号の周波数に一致させるように前記スイッチング動作を制御する
請求項８に記載の電源装置。
【請求項１０】
前記制御部は、前記同期信号に基づいて、複数のパルスを含む第１の時間長の第１のパルス信号、および複数のパルスを含む第２の時間長の第２のパルス信号のうちの一方を選択的に生成し、
前記スイッチング部は、前記第１のパルス信号および前記第２のパルス信号のうちの選択されたパルス信号に基づいて前記スイッチング動作を行う
請求項９に記載の電源装置。
【請求項１１】
現像部と
ヒータを有し、現像剤を記録媒体に定着させる定着部と、
前記ヒータに対して電力を供給する電源部と
を備え、
前記電源部は、
スイッチング動作を行うことにより、入力信号に基づいて第１の交流信号を生成するスイッチング部と、
前記スイッチング部における入力電流に基づいて前記第１の交流信号の信号振幅を増加させる振幅制御を行うように、前記スイッチング動作を制御する制御部と、
前記第１の交流信号の互いに異なる負荷への供給をオンオフする複数のスイッチと
を有し、
前記制御部は、前記複数のスイッチのうちの１つ以上がオフからオンに変化する際に、前記振幅制御を行う
画像形成装置。
【発明の詳細な説明】
【技術分野】
【０００１】
本発明は、負荷に対して電力を供給する電源装置、およびそのような電源装置を備えた画像形成装置に関する。
【背景技術】
【０００２】
画像形成装置には、感光ドラム上に形成されたトナー像を記録媒体に転写し、定着部においてそのトナー像をその記録媒体に定着させるものがある。この定着部は、ヒータを有し、記録媒体に対して熱および圧力を付与することにより、トナー像を記録媒体に定着させる。ヒータは、供給される交流信号の実効値が制御されることにより温度制御が行われる。その際、一般に位相制御や波数制御により、交流信号の実効値が制御される。例えば、特許文献１には、商用電源から供給された交流信号をヒータへ供給する際、トライアックを用いて位相制御を行う画像形成装置が開示されている。
【先行技術文献】
【特許文献】
【０００３】
【特許文献１】特開２０１３−２３５１０７号公報
【発明の概要】
【発明が解決しようとする課題】
【０００４】
ところで、ヒータに電力供給を開始する際、大きな突入電流が生じるおそれがあり、その結果フリッカが生じてしまう。また、突入電流を抑えるために位相制御を行った場合には、伝導ノイズが生じてしまうおそれがある。よって、ヒータへの電力供給では、伝導ノイズやフリッカが生じるおそれを低減することが期待されている。
【０００５】
本発明はかかる問題点に鑑みてなされたもので、その目的は、伝導ノイズやフリッカが生じるおそれを低減することができる電源装置および画像形成装置を提供することにある。
【課題を解決するための手段】
【０００６】
本発明の第１の電源装置は、スイッチング部と、制御部と、複数のスイッチとを備えている。スイッチング部は、スイッチング動作を行うことにより、入力信号に基づいて第１の交流信号を生成するものである。制御部は、スイッチング部における入力電流に基づいて第１の交流信号の信号振幅を増加させる振幅制御を行うように、スイッチング動作を制御するものである。複数のスイッチは、第１の交流信号の互いに異なる負荷への供給をオンオフするものである。上記制御部は、複数のスイッチのうちの１つ以上がオフからオンに変化する際に、振幅制御を行うものである。
本発明の第２の電源装置は、スイッチング部と、制御部と、スイッチとを備えている。スイッチング部は、スイッチング動作を行うことにより、入力信号に基づいて第１の交流信号を生成するものである。制御部は、スイッチング部における入力電流に基づいて第１の交流信号の信号振幅を増加させる振幅制御を行うように、スイッチング動作を制御するものである。スイッチは、第１の交流信号の負荷への供給をオンオフするものである。上記制御部は、スイッチがオンからオフに変化して、所定時間が経過した後に再度オンに変化する際に、振幅制御を行うものである。
本発明の第３の電源装置は、スイッチング部と、制御部と、力率改善回路とを備えている。スイッチング部は、スイッチング動作を行うことにより、入力信号に基づいて第１の交流信号を生成するものである。制御部は、スイッチング部における入力電流に基づいて第１の交流信号の信号振幅を増加させる振幅制御を行うように、スイッチング動作を制御するものである。力率改善回路は、第２の交流信号に基づいて直流信号を生成するものである。
【０００７】
本発明の画像形成装置は、現像部と、定着部と、電源部とを備えている。定着部は、ヒータを有し、現像剤を記録媒体に定着させるものである。電源部は、スイッチング部と、制御部と、複数のスイッチとを有している。スイッチング部は、スイッチング動作を行うことにより、入力信号に基づいて第１の交流信号を生成するものである。制御部は、スイッチング部における入力電流に基づいて第１の交流信号の信号振幅を増加させる振幅制御を行うように、スイッチング動作を制御するものである。複数のスイッチは、第１の交流信号の互いに異なる負荷への供給をオンオフするものである。上記制御部は、複数のスイッチのうちの１つ以上がオフからオンに変化する際に、振幅制御を行うものである。
【発明の効果】
【０００８】
本発明の電源装置および画像形成装置によれば、前記スイッチング部における入力電流に基づいて前記第１の交流信号の信号振幅を増加させるようにしたので、伝導ノイズやフリッカが生じるおそれを低減することができる。
【図面の簡単な説明】
【０００９】
【図１】本発明の一実施の形態に係る画像形成装置の一構成例を表す説明図である。
【図２】図１に示した現像部の一構成例を表す説明図である。
【図３】図１に示した画像形成装置における制御機構の一例を表すブロック図である。
【図４】図３に示した低圧電源部の一構成例を表すブロック図である。
【図５】図４に示した力率改善回路の一構成例を表す回路図である。
【図６】図５に示したスイッチング回路の一構成例を表す回路図である。
【図７】図４に示したゼロクロス検出回路の一構成例を表す回路図である。
【図８】図４に示したスイッチング部の一構成例を表す回路図である。
【図９】図８に示した電流検出回路の一構成例を表す回路図である。
【図１０】図８に示したスイッチング回路の一構成例を表す回路図である。
【図１１】図８に示したＡＣスイッチの一構成例を表す回路図である。
【図１２】図４に示したＤＣ−ＡＣインバータの一動作例を表すタイミング波形図である。
【図１３】図４に示したＤＣ−ＡＣインバータの一動作例を表す他のタイミング波形図である。
【図１４】図４に示したＤＣ−ＡＣインバータの一動作例を表す他のタイミング波形図である。
【図１５】図４に示したＤＣ−ＡＣインバータの一動作例を表す他のタイミング波形図である。
【図１６】図４に示したＤＣ−ＡＣインバータの一動作例を表す他のタイミング波形図である。
【図１７】図８に示したスイッチング部および制御回路の一動作例を表すタイミング波形図である。
【図１８】図８に示したスイッチング部の一動作例を表すタイミング波形図である。
【図１９】図８に示した制御回路の一動作例を表すフローチャートである。
【図２０】図４に示したＤＣ−ＡＣインバータの一動作例を表す他のタイミング波形図である。
【図２１】図８に示した制御回路の一動作例を表す表である。
【図２２】図８に示した制御回路の一動作例を表すフローチャートである。
【図２３】図８に示した制御回路の一動作例を表す説明図である。
【図２４】図４に示したＤＣ−ＡＣインバータの一動作例を表す波形図である。
【図２５】変形例に係る低圧電源部の一構成例を表すブロック図である。
【図２６】変形例に係るプリンタエンジン制御部および制御回路の一構成例を表すブロック図である。
【図２７】リードコマンドを説明するための表である。
【図２８】待機モードおよびオフモードを説明するための波形図である。
【図２９】ライトコマンドを説明するための表である。
【図３０】変形例に係るＤＣ−ＡＣインバータの一動作例を表すタイミング波形図である。
【図３１】変形例に係るＤＣ−ＡＣインバータの他の動作例を表すタイミング波形図である。
【発明を実施するための形態】
【００１０】
以下、本発明の実施の形態について、図面を参照して詳細に説明する。
【００１１】
［構成例］
（全体構成例）
図１は、本発明の一実施の形態に係る電源装置を有する画像形成装置（画像形成装置１）の一構成例を表すものである。画像形成装置１は、例えば普通用紙等からなる記録媒体に対して、電子写真方式を用いて画像を形成するプリンタとして機能するものである。
【００１２】
画像形成装置１は、ホッピングローラ１１と、レジストローラ１２と、媒体センサ１３と、４つの現像部２０（２０Ｃ，２０Ｍ，２０Ｙ，２０Ｋ）と、４つのトナー収容部２９（２９Ｃ，２９Ｍ，２９Ｙ，２９Ｋ）と、４つの露光ヘッド１６（１６Ｃ，１６Ｍ，１６Ｙ，１６Ｋ）と、転写部３０と、定着部４０とを備えている。これらの部材は、記録媒体９を搬送する搬送路１０に沿って配置されている。
【００１３】
ホッピングローラ１１は、着脱可能に構成された給紙カセット８に収納されている記録媒体９をその最上部から１枚ずつ取り出し、取り出した記録媒体９を搬送路１０に送り出す部材である。ホッピングローラ１１は、ホッピングモータ１１Ｔ（後述）から伝達された動力により回転するようになっている。
【００１４】
レジストローラ１２は、搬送路１０を挟む１対のローラにより構成される部材であり、ホッピングローラ１１から供給された記録媒体９の斜行を矯正するとともに、搬送路１０に沿って記録媒体９を現像部２０に導くものである。レジストローラ１２は、レジストモータ１２Ｔ（後述）から伝達された動力により回転するようになっている。
【００１５】
媒体センサ１３は、接触または非接触により、記録媒体９の通過を検出するものである。
【００１６】
現像部２０は、トナー像を形成するものである。具体的には、現像部２０Ｃは、シアン色（Ｃ）のトナー像を形成するものであり、現像部２０Ｍは、マゼンタ色（Ｍ）のトナー像を形成するものであり、現像部２０Ｙは、黄色（Ｙ）のトナー像を形成するものであり、現像部２０Ｋは、黒色（Ｋ）のトナー像を形成するものである。この例では、各現像部２０は、記録媒体９の搬送方向Ｆにおいて、現像部２０Ｋ，２０Ｙ，２０Ｍ，２０Ｃの順に配置されている。各現像部２０は、着脱可能に構成されている。
【００１７】
トナー収容部２９Ｃは、シアン色（Ｃ）のトナーを収容するものであり、現像部２０Ｃに着脱可能に構成されている。同様に、トナー収容部２９Ｍは、マゼンタ色（Ｍ）のトナーを収容するものであり、現像部２０Ｍに着脱可能に構成され、トナー収容部２９Ｙは、黄色（Ｙ）のトナーを収容するものであり、現像部２０Ｙに着脱可能に構成され、トナー収容部２９Ｋは、黒色（Ｋ）のトナーを収容するものであり、現像部２０Ｋに着脱可能に構成されている。
【００１８】
図２は、現像部２０の一構成例を表すものである。なお、この図では、現像部２０に加え、トナー収容部２９をも描いている。現像部２０は、感光ドラム２１と、帯電ローラ２２と、クリーニングブレード２３と、現像ローラ２４と、現像ブレード２５と、供給ローラ２６とを有している。
【００１９】
感光ドラム２１は、表面（表層部分）に静電潜像を担持する部材であり、感光体を用いて構成されるものである。感光ドラム２１は、ドラムモータ２０Ｔ（後述）から伝達された動力により、この例では右回りで回転する。感光ドラム２１は、帯電ローラ２２により帯電する。そして、現像部２０Ｃの感光ドラム２１は、露光ヘッド１６Ｃにより露光され、現像部２０Ｍの感光ドラム２１は、露光ヘッド１６Ｍにより露光され、現像部２０Ｙの感光ドラム２１は、露光ヘッド１６Ｙにより露光され、現像部２０Ｋの感光ドラム２１は、露光ヘッド１６Ｋにより露光される。このようにして、各感光ドラム２１の表面には、静電潜像が形成されるようになっている。
【００２０】
帯電ローラ２２は、感光ドラム２１の表面（表層部分）を帯電させる部材である。帯電ローラ２２は、感光ドラム２１の表面（周面）に接するように配置されるとともに、所定の押し付け量で感光ドラム２１に押し付けられように配置されている。帯電ローラ２２は、感光ドラム２１の回転に応じて、この例では左回りで回転する。帯電ローラ２２には、高圧電源部５５（後述）により帯電電圧が印加されるようになっている。
【００２１】
クリーニングブレード２３は、感光ドラム２１の表面（表層部分）に残留するトナーを掻き取ってクリーニングする部材である。このクリーニングブレード２３は、感光ドラム２１の表面に対してカウンタで（感光ドラム２１の回転方向に対して逆向きで突出して）当接するように配置されるとともに、所定の押し付け量で感光ドラム２１に押し付けられように配置されている。
【００２２】
現像ローラ２４は、トナーを表面に担持する部材である。この現像ローラ２４は、感光ドラム２１の表面（周面）に接するように配置されるとともに、所定の押し付け量で感光ドラム２１に押し付けられように配置されている。現像ローラ２４は、ドラムモータ２０Ｔ（後述）から伝達された動力により、この例では左回りで回転する。各感光ドラム２１では、現像ローラ２４から供給されたトナーにより、静電潜像に応じたトナー像が形成（現像）される。現像ローラ２４には、高圧電源部５５（後述）により現像電圧が印加されるようになっている。
【００２３】
現像ブレード２５は、現像ローラ２３の表面に当接することにより、この現像ローラ２３の表面にトナーからなる層（トナー層）を形成させるとともに、そのトナー層の厚さを規制（制御，調整）する部材である。現像ブレード２５は、例えば、ステンレス等からなる板状弾性部材をＬ字形状に折り曲げたものである。現像ブレード２５は、その折れ曲がった部分が現像ローラ２４の表面に当接するように配置されるとともに、所定の押し付け量で現像ローラ２４に押し付けられように配置されている。現像ブレード２５には、高圧電源部５５（後述）により供給電圧が印加されるようになっている。
【００２４】
供給ローラ２６は、トナー収容部２９内に貯蔵されたトナーを、現像ローラ２４に対して供給する部材である。この供給ローラ２６は、現像ローラ２４の表面（周面）に接するように配置されるとともに、所定の押し付け量で現像ローラ２４に押し付けられように配置されている。供給ローラ２６は、ドラムモータ２０Ｔ（後述）から伝達された動力により、この例では左回りで回転する。これにより、各現像部２０では、供給ローラ２６の表面と現像ローラ２４の表面との間には摩擦が生じる。その結果、各現像部２０では、トナーが、いわゆる摩擦帯電により帯電するようになっている。供給ローラ２６には、高圧電源部５５（後述）により供給電圧が印加されるようになっている。
【００２５】
露光ヘッド１６Ｃ（図１）は、現像部２０Ｃの感光ドラム２１（後述）に対して光を照射する部材であり、露光ヘッド１６Ｍは、現像部２０Ｍの感光ドラム２１に対して光を照射する部材であり、露光ヘッド１６Ｙは、現像部２０Ｙの感光ドラム２１に対して光を照射する部材であり、露光ヘッド１６Ｋは、現像部２０Ｋの感光ドラム２１に対して光を照射する部材である。これにより、これらの感光ドラム２１は、露光ヘッド１６Ｃ，１６Ｍ，１６Ｙ，１６Ｋにより露光され、感光ドラム２１の表面に、静電潜像が形成されるようになっている。
【００２６】
転写部３０は、４つの現像部２０Ｃ，２０Ｍ，２０Ｙ，２０Ｋにより形成されたトナー像を、記録媒体９の被転写面上に転写する部材である。転写部３０は、転写ローラ３１Ｃ，３１Ｍ，３１Ｙ，３１Ｋと、転写ベルト３２と、駆動ローラ３３と、従動ローラ３４とを有している。
【００２７】
転写ローラ３１Ｃは、搬送路１０を介して現像部２０Ｃの感光ドラム２１に対向配置されており、転写ローラ３１Ｍは、搬送路１０を介して現像部２０Ｍの感光ドラム２１に対向配置されており、転写ローラ３１Ｙは、搬送路１０を介して現像部２０Ｙの感光ドラム２１に対向配置されており、転写ローラ３１Ｋは、搬送路１０を介して現像部２０Ｋの感光ドラム２１に対向配置されている。転写ローラ３１Ｃ，３１Ｍ，３１Ｙ，３１Ｋのそれぞれには、高圧電源部５５（後述）により転写電圧が印加されるようになっている。
【００２８】
転写ベルト３２は、搬送路１０に沿って記録媒体９を搬送するものである。転写ベルト３２は、駆動ローラ３３および従動ローラ３４によって張設（張架）されている。そして、転写ベルト３２は、駆動ローラ３３の回転に応じて、搬送方向Ｆの方向に循環回転するようになっている。その際、転写ベルト３２は、現像部２０Ｃと転写ローラ３１Ｃとの間、現像部２０Ｍと転写ローラ３１Ｍとの間、現像部２０Ｙと転写ローラ３１Ｙとの間、および現像部２０Ｋと転写ローラ３１Ｋとの間を移動するようになっている。
【００２９】
駆動ローラ３３は、転写ベルト３２を循環回転させるものである。この例では、駆動ローラ３３は、搬送方向Ｆにおいて、４つの現像部２０の下流側に配置され、ベルトモータ３３Ｔ（後述）から伝達された動力により、この例では左回りで回転する。これにより、駆動ローラ３３は、転写ベルト３２を搬送方向Ｆの方向へ循環回転させるようになっている。
【００３０】
従動ローラ３４は、転写ベルト３２の循環回転に応じて、この例では左回りで従動回転するものである。この例では、従動ローラ３４は、搬送方向Ｆにおいて、４つの現像部２０の上流側に配置されている。
【００３１】
クリーニングブレード１４は、転写ベルト３１の被転写面に残留するトナーを掻き取ってクリーニングする部材である。そして、掻き取られたトナーは、クリーナ容器１５に収容されるようになっている。
【００３２】
定着部４０は、記録媒体９に対し熱および圧力を付与することにより、記録媒体９上に転写されたトナー像を記録媒体９に定着させる部材である。定着部４０は、ヒートローラ４１と、加圧ローラ４３と、サーミスタ４４とを有している。ヒートローラ４１は、その内部に２つのヒータ４２Ａ，４２Ｂを含んで構成されており、記録媒体９上のトナーに対して熱を付与する部材である。ヒータ４２Ａ，４２Ｂは、例えば、ハロゲンヒータを用いることができる。なお、これに限定されるものではなく、これに代えて、例えばセラミックヒータなどを用いてもよい。加圧ローラ４３は、ヒートローラ４１との間に圧接部が形成されるように配置されており、記録媒体９上のトナーに対して圧力を付与する部材である。ヒートローラ４１および加圧ローラ４３は、ヒータモータ４０Ｔ（後述）から伝達された動力により回転するようになっている。サーミスタ４４は、定着部４０の温度を検出するものである。これにより、定着部４０では、記録媒体９上のトナーが、加熱され、融解し、加圧される。その結果、トナー像が記録媒体９上に定着するようになっている。
【００３３】
画像形成装置１では、このようにして、記録媒体９に対して印刷が行われる。そして、印刷された記録媒体９は、媒体ガイド１７により、搬送路１０に沿って搬送され、排紙トレイ１８上に積載されるようになっている。
【００３４】
（画像形成装置１の制御機構）
図３は、画像形成装置１における制御機構の一例を表すものである。画像形成装置１は、インタフェース部５１と、画像処理部５２と、露光制御部５３と、表示部５４と、高圧電源部５５と、低圧電源部６０と、プリンタエンジン制御部５９とを有している。
【００３５】
インタフェース部５１は、例えば、図示しないホストコンピュータから、例えばＰＤＬ（Page Description Language）等により記述された印刷データを受け取るとともに、このホストコンピュータとの間で各種制御信号のやりとりを行うものである。
【００３６】
画像処理部５２は、印刷データを受け取ったことをプリンタエンジン制御部５９に通知するとともに、プリンタエンジン制御部５９からの指示に基づいて、インタフェース部５１から供給された印刷データに基づいて所定の処理を行うことによりビットマップデータを生成するものである。
【００３７】
露光制御部５３は、プリンタエンジン制御部５９からの指示、および画像処理部５２から供給されたビットマップデータに基づいて、露光ヘッド１６Ｃ，１６Ｍ，１６Ｙ，１６Ｋの動作を制御するものである。
【００３８】
表示部５４は、画像形成装置１の動作状態などを表示するものであり、例えば、液晶ディスプレイを用いて構成されるものである。
【００３９】
高圧電源部５５は、プリンタエンジン制御部５９からの指示に基づいて、現像部２０Ｃ，２０Ｍ，２０Ｙ，２０Ｋの帯電ローラ２２に印加する帯電電圧をそれぞれ生成し、現像部２０Ｃ，２０Ｍ，２０Ｙ，２０Ｋの現像ローラ２４に印加する現像電圧をそれぞれ生成し、現像部２０Ｃ，２０Ｍ，２０Ｙ，２０Ｋの供給ローラ２６に印加する供給電圧をそれぞれ生成し、転写ローラ３２Ｃ，３２Ｍ，３２Ｙ，３２Ｋに印加する転写電圧をそれぞれ生成するものである。
【００４０】
低圧電源部６０は、プリンタエンジン制御部５９からの指示に基づいて、定着部４０のヒータ４２Ａ，４２Ｂに電力を供給するものである。この低圧電源部６０については、後ほど詳細に説明する。
【００４１】
プリンタエンジン制御部５９は、画像形成装置１の各ブロックを制御するものである。具体的には、プリンタエンジン制御部５９は、画像処理部５２を制御することにより、印刷データに基づいてビットマップデータを生成させる。そして、プリンタエンジン制御部５９は、低圧電源部６０を制御することにより、定着部４０のヒータ４２Ａ，４２Ｂに電力を供給させるとともに、サーミスタ４４における検出結果に基づいてヒータ４２Ａ，４２Ｂに供給する電力を調節する。そして、プリンタエンジン制御部５９は、ホッピングモータ１１Ｔを制御することによりホッピングローラ１１を回転させ、レジストモータ１２Ｔを制御することによりレジストローラ１２を回転させ、ドラムモータ２０Ｔを制御することにより現像部２０Ｃ，２０Ｍ，２０Ｙ，２０Ｋ内の感光ドラム２１、現像ローラ２４、および供給ローラ２６をそれぞれ回転させ、ベルトモータ３３Ｔを制御することにより駆動ローラ１０６を回転させ、ヒータモータ４０Ｔを制御することによりヒートローラ４１および加圧ローラ４３を回転させる。また、プリンタエンジン制御部５９は、媒体センサ１３における検出結果に基づいて、高圧電源部５５を制御することにより各種電圧を生成させる。そして、プリンタエンジン制御部５９は、露光制御部５３の動作を制御することにより露光ヘッド１６Ｃ，１６Ｍ，１６Ｙ，１６Ｋを動作させる。また、プリンタエンジン制御部５９は、表示部５４を制御することにより、画像形成装置１の動作状態などを表示させるようになっている。
【００４２】
プリンタエンジン制御部５９は、低圧電源部６０を制御する際、低圧電源部６０に対してヒータ制御信号ＨＡ，ＨＢを供給するとともに、低圧電源部６０からレディ信号ＲＤＹを受け取る。ヒータ制御信号ＨＡは、ヒータ４２Ａに対する電力の供給を指示するものであり、ヒータ制御信号ＨＢは、ヒータ４２Ｂに対する電力の供給を指示するものである。レディ信号ＲＤＹは、低圧電源部６０がヒータ４２Ａ，４２Ｂに対して電力を供給する準備ができていることを通知するものである。
【００４３】
（低圧電源部６０）
図４は、低圧電源部６０の一構成例を表すものである。この図では、低圧電源部６０に加え、商用電源９９、ヒータ４２Ａ，４２Ｂ、およびプリンタエンジン制御部５９をも描いている。低圧電源部６０は、商用電源９９から供給される交流信号Ｓac1に基づいて、交流信号Ｓac2A，Ｓac2Bを生成し、交流信号Ｓac2Aをヒータ４２Ａに供給するとともに、交流信号Ｓac2Bをヒータ４２Ｂに供給するものである。この例では、商用電源９９から供給される交流信号Ｓac1の周波数は５０Ｈｚであり、実効値は１００Ｖrmsである。なお、これに限定されるものではなく、周波数は、例えば６０Ｈｚであってもよい。また、実効値は、例えば８０Ｖrms〜２６０Ｖrmsの範囲内の任意の値にすることができる。低圧電源部６０は、力率改善回路（Power Factor Correction回路）１００と、ゼロクロス検出回路２００と、ＤＣ−ＤＣコンバータ６１と、ＤＣ−ＡＣインバータ６２とを有している。
【００４４】
（力率改善回路１００）
力率改善回路１００は、交流信号Ｓac1に基づいて信号Ｓdc390を生成するものである。信号Ｓdc390の電圧は、この例では３９０Ｖである。なお、この電圧に限定されるものではなく、３９０Ｖ以外の電圧であってもよい。以下に、力率改善回路１００について詳細に説明する。
【００４５】
図５は、力率改善回路１００の一構成例を表すものである。力率改善回路１００は、ヒューズ９１およびコモンモードコイル９２を介して商用電源９９と接続されている。具体的には、商用電源９９の一端はコンデンサ９３の一端およびコモンモードコイル９２の第１の巻線の一端に接続され、他端はヒューズ９１の一端に接続されている。ヒューズ９１の一端は商用電源９９の他端に接続され、他端はコンデンサ９３の他端およびコモンモードコイル９２の第２の巻線の一端に接続されている。コンデンサ９３は、いわゆるアクロスザラインコンデンサ（Ｘコンデンサ）であり、一端は商用電源９９の一端およびコモンモードコイル９２の第１の巻線の一端に接続され、他端はヒューズ９１の他端およびコモンモードコイル９２の第２の巻線の一端に接続されている。コモンモードコイル９２の第１の巻線の一端は商用電源９９の一端およびコンデンサ９３の一端に接続され、他端はコンデンサ９４の一端およびコンデンサ９６の一端に接続されるとともに、力率改善回路１００およびゼロクロス検出回路２００に接続されている。コモンモードコイル９２の第２の巻線の一端はヒューズ９１の他端およびコンデンサ９３の他端に接続され、他端はコンデンサ９５の一端およびコンデンサ９６の他端に接続されるとともに、力率改善回路１００およびゼロクロス検出回路２００に接続されている。コンデンサ９４，９５は、いわゆるラインバイパスコンデンサ（Ｙコンデンサ）である。コンデンサ９４の一端はコモンモードコイル９２の第１の巻線の他端およびコンデンサ９６の一端に接続され、他端は接地されている。コンデンサ９５の一端はコモンモードコイル９２の第２の巻線の他端およびコンデンサ９６の他端に接続され、他端は接地されている。コンデンサ９６は、いわゆるアクロスザラインコンデンサ（Ｘコンデンサ）であり、一端はコモンモードコイル９２の第１の巻線の他端およびコンデンサ９４の一端に接続され、他端はコモンモードコイル９２の第２の巻線の他端およびコンデンサ９５の一端に接続されている。コモンモードコイル９２およびコンデンサ９３〜９６は、いわゆるコモンモードフィルタを構成するものである。
【００４６】
力率改善回路１００は、ブリッジダイオード１０１と、スイッチング回路１１０，１２０と、ダイオード１０２，１０３と、電解コンデンサ１０４と、抵抗素子１０５〜１０８と、ダイオード１３１，１３２と、抵抗素子１３３，１３４と、コンデンサ１３５と、抵抗素子１３６，１３７と、制御回路１４０とを有している。力率改善回路１００には、ＤＣ−ＤＣコンバータ４００Ｂ（後述）から、端子Ｔ１９１を介して、信号Ｓdc15B，Ｓdc0Bが供給される。この信号Ｓdc15Bの電圧は、信号Ｓdc0Bの電圧よりも１５Ｖ高いものである。また、力率改善回路１００は、端子Ｔ１９２を介して、信号Ｓdc390，Ｓdc0Bを出力するようになっている。
【００４７】
ブリッジダイオード１０１は、コモンモードコイル９２から出力される交流信号に対して全波整流を行うものである。ブリッジダイオード１０１の第１のダイオードのカソードおよび第２のダイオードのアノードは、コモンモードコイル９２の第１の巻線の他端に接続され、ブリッジダイオード１０１の第３のダイオードのカソードおよび第４のダイオードのアノードは、コモンモードコイル９２の第２の巻線の他端に接続されている。ブリッジダイオード１０１の第１のダイオードのアノードおよび第３のダイオードのアノードには信号Ｓdc0Bが供給されている。ブリッジダイオード１０１の第２のダイオードのカソードおよび第４のダイオードのカソードには、スイッチング回路１１０，１２０が接続されている。
【００４８】
スイッチング回路１１０は、ゲートドライブ信号ＧＤ１に基づいてスイッチング動作を行うものである。
【００４９】
図６は、スイッチング回路１１０の一構成例を表すものである。スイッチング回路１１０は、抵抗素子１１４，１１５と、ＮＰＮトランジスタ１１６と、ＰＮＰトランジスタ１１７と、抵抗素子１１８，１１９と、インダクタ１１１と、絶縁ゲートバイポーラトランジスタ（ＩＧＢＴ）１１２と、ダイオード１１２Ｄと、抵抗素子１１３とを有している。なお、図５では、これらの素子のうち、インダクタ１１１、ＩＧＢＴ１１２、抵抗素子１１３を描いている。
【００５０】
抵抗素子１１４の一端にはゲートドライブ信号ＧＤ１が供給され、他端はＮＰＮトランジスタ１１６のベースおよびＰＮＰトランジスタ１１７のベースに接続されている。抵抗素子１１５の一端には信号Ｓdc15Bが供給され、他端はＮＰＮトランジスタ１１６のコレクタに接続されている。ＮＰＮトランジスタ１１６のコレクタは抵抗素子１１５の他端に接続され、ベースは抵抗素子１１４の他端およびＰＮＰトランジスタ１１７のベースに接続され、エミッタはＰＮＰトランジスタ１１７のエミッタおよび抵抗素子１１８の一端に接続されている。ＰＮＰトランジスタ１１７のエミッタはＮＰＮトランジスタ１１６のエミッタおよび抵抗素子１１８の一端に接続され、ベースは抵抗素子１１４の他端およびＮＰＮトランジスタ１１６のベースに接続され、コレクタは抵抗素子１１９の他端、ＩＧＢＴ１１２のエミッタ、ダイオード１１２Ｄのアノード、および抵抗素子１１３の一端に接続されている。抵抗素子１１８の一端はＮＰＮトランジスタ１１６のエミッタおよびＰＮＰトランジスタ１１７のエミッタに接続され、他端は抵抗素子１１９の一端およびＩＧＢＴ１１２のベースに接続されている。抵抗素子１１９の一端は抵抗素子１１８の他端およびＩＧＢＴ１１２のベースに接続され、他端はＰＮＰトランジスタ１１７のコレクタ、ＩＧＢＴ１１２のエミッタ、ダイオード１１２Ｄのアノード、および抵抗素子１１３の一端に接続されている。インダクタ１１１の一端は、図５に示したようにブリッジダイオード１０１の第２のダイオードのカソードおよび第４のダイオードのカソードに接続され、他端はＩＧＢＴ１１２のコレクタおよびダイオード１１２Ｄのカソードに接続されている。ＩＧＢＴ１１２のコレクタはインダクタ１１１の他端およびダイオード１１２Ｄのカソードに接続され、ベースは抵抗素子１１８の他端および抵抗素子１１９の一端に接続され、エミッタはＰＮＰトランジスタ１１７のコレクタ、抵抗素子１１９の他端、ダイオード１１２Ｄのアノード、および抵抗素子１１３の一端に接続されている。ダイオード１１２ＤのアノードはＩＧＢＴ１１２のエミッタ、ＰＮＰトランジスタ１１７のコレクタ、抵抗素子１１９の他端、および抵抗素子１１３の一端に接続され、カソードはインダクタ１１１の他端およびＩＧＢＴ１１２のコレクタに接続されている。抵抗素子１１３の一端はＰＮＰトランジスタ１１７のコレクタ、抵抗素子１１９の他端、ＩＧＢＴ１１２のエミッタ、およびダイオード１１２Ｄのアノードに接続され、他端には信号Ｓdc0Bが供給されている。抵抗素子１１３の一端における電圧は、信号ＤＥＴ１として制御回路１４０に供給されるようになっている。
【００５１】
スイッチング回路１２０（図５）は、ゲートドライブ信号ＧＤ２に基づいてスイッチング動作を行うものである。スイッチング回路１２０は、スイッチング回路１１０（図６）と同様の構成を有するものである。スイッチング回路１２０は、インダクタ１２１と、ＩＧＢＴ１２２と、抵抗素子１２３とを有している。インダクタ１２１、ＩＧＢＴ１２２、および抵抗素子１２３は、スイッチング回路１１０におけるインダクタ１１１、ＩＧＢＴ１１２、および抵抗素子１１３に対応するものである。抵抗素子１２３の一端における電圧は、信号ＤＥＴ２として制御回路１４０に供給されるようになっている。
【００５２】
なお、この例では、ＩＧＢＴ１１２，１２２を用いたが、これに限定されるものではなく、これに代えて、例えばＳｉＣ−ＦＥＴやＧａＮ−ＦＥＴなどを用いてもよい。
【００５３】
ダイオード１０２のアノードはインダクタ１１１の他端等に接続され、カソードはダイオード１０３のカソード、電解コンデンサ１０４の正極端子、抵抗素子１０５の一端、および抵抗素子１０７の一端に接続されている。ダイオード１０３のアノードはインダクタ１２１の他端等に接続され、カソードはダイオード１０２のカソード、電解コンデンサ１０４の正極端子、抵抗素子１０５の一端、および抵抗素子１０７の一端に接続されている。電解コンデンサ１０４の正極端子は、ダイオード１０２のカソード、ダイオード１０３のカソード、抵抗素子１０５の一端、および抵抗素子１０７の一端に接続され、負極端子には信号Ｓdc0Bが供給されている。電解コンデンサ１０４の正極端子における電圧は、信号Ｓdc390として、端子Ｔ１９２を介して出力されるようになっている。
【００５４】
抵抗素子１０５の一端は、ダイオード１０２のカソード、ダイオード１０３のカソード、電解コンデンサ１０４の正極端子、および抵抗素子１０７の一端に接続され、他端は抵抗素子１０６の一端に接続されている。抵抗素子１０６の一端は抵抗素子１０５の他端に接続され、他端には信号Ｓdc0Bが供給されている。抵抗素子１０５の他端および抵抗素子１０６の一端における電圧は、信号ＯＶＰとして制御回路１４０に供給されるようになっている。
【００５５】
抵抗素子１０７の一端は、ダイオード１０２のカソード、ダイオード１０３のカソード、電解コンデンサ１０４の正極端子、および抵抗素子１０５の一端に接続され、他端は抵抗素子１０８の一端に接続されている。抵抗素子１０８の一端は抵抗素子１０７の他端に接続され、他端には信号Ｓdc0Bが供給されている。抵抗素子１０７の他端および抵抗素子１０８の一端における電圧は、信号ＦＢとして制御回路１４０に供給されるようになっている。
【００５６】
ダイオード１３１，１３２からなる回路は、コモンモードコイル９２から出力される交流信号に対して全波整流を行うものである。ダイオード１３１のアノードはコモンモードコイル９２の第１の巻線の他端に接続され、カソードはダイオード１３２のカソード、抵抗素子１３３の一端、および抵抗素子１３６の一端に接続されている。ダイオード１３２のアノードはコモンモードコイル９２の第２の巻線の他端に接続され、カソードはダイオード１３１のカソード、抵抗素子１３３の一端、および抵抗素子１３６の一端に接続されている。
【００５７】
抵抗素子１３３の一端はダイオード１３１のカソード、ダイオード１３２のカソード、および抵抗素子１３６の一端に接続され、他端は抵抗素子１３４の一端およびコンデンサ１３５の一端に接続されている。抵抗素子１３４の一端は抵抗素子１３３の他端およびコンデンサ１３５の一端に接続され、他端には信号Ｓdc0Bが供給されている。コンデンサ１３５の一端は抵抗素子１３３の他端および抵抗素子１３４の一端に接続され、他端には信号Ｓdc0Bが供給されている。抵抗素子１３３の他端、抵抗素子１３４の一端、およびコンデンサ１３５の一端における電圧は、信号ＳＴとして制御回路１４０に供給されるようになっている。
【００５８】
抵抗素子１３６の一端はダイオード１３１のカソード、ダイオード１３２のカソード、および抵抗素子１３３の一端に接続され、他端は抵抗素子１３７の一端に接続されている。抵抗素子１３７の一端は抵抗素子１３６の他端に接続され、他端には信号Ｓdc0Bが供給されている。抵抗素子１３６の他端および抵抗素子１３７の一端における電圧は、信号ＡＣＩＮとして制御回路１４０に供給されるようになっている。
【００５９】
制御回路１４０は、スイッチング回路１１０に対してゲートドライブ信号ＧＤ１を供給するとともに、スイッチング回路１２０に対してゲートドライブ信号ＧＤ２を供給することにより、力率改善回路１００が信号Ｓdc390を生成するように制御するものである。具体的には、制御回路１４０は、信号ＦＢに基づいて、ゲートドライブ信号ＧＤ１，ＧＤ２のスイッチングデューティ比を変化させ、信号Ｓdc390の電圧が所望の電圧（この例では３９０Ｖ）になるように制御するとともに、信号ＯＶＰに基づいて、信号Ｓdc390の電圧が過大にならないように制御する。その際、制御回路１４０は、信号ＡＣＩＮに基づいて、力率が１付近（例えば０．９以上）になるように、スイッチング回路１１０，１２０におけるスイッチング動作を制御するようになっている。
【００６０】
また、制御回路１４０は、信号ＤＥＴ１に基づいてＩＧＢＴ１１２に過大な電流が流れていないか否かを監視するとともに、信号ＤＥＴ２に基づいてＩＧＢＴ１２２に過大な電流が流れていないか否かを監視する機能をも有している。そして、制御回路１４０は、過大な電流が流れている場合には、スイッチング回路１１０，１２０におけるスイッチング動作を停止するようになっている。また、制御回路１４０は、信号ＳＴに基づいて、交流信号Ｓac1の振幅が所定の振幅以上である場合において、スイッチング回路１１０，１２０に対してスイッチング動作を行わせるようになっている。
【００６１】
（ゼロクロス検出回路２００）
ゼロクロス検出回路２００（図４）は、交流信号Ｓac1に基づいてゼロクロス信号ＳＺを生成するものである。以下に、ゼロクロス検出回路２００について詳細に説明する。
【００６２】
図７は、ゼロクロス検出回路２００の一構成例を表すものである。ゼロクロス検出回路２００は、力率改善回路１００と同様に、ヒューズ９１およびコモンモードコイル９２を介して商用電源９９と接続されている。
【００６３】
ゼロクロス検出回路２００は、抵抗素子２０１，２０２と、コンデンサ２０３と、ブリッジダイオード２０４と、フォトカプラ２０５と、抵抗素子２０６と、Ｎチャネル電界効果トランジスタ（ＦＥＴ）２０７と、抵抗素子２０８〜２１０と、ＮＰＮトランジスタ２１１と、抵抗素子２１２とを有している。ゼロクロス検出回路２０には、ＤＣ−ＤＣコンバータ６１から信号Ｓdc5が供給される。この信号Ｓdc5の電圧は、この例では５Ｖである。
【００６４】
抵抗素子２０１の一端はコモンモードコイル９２の第１の巻線の他端に接続され、他端は抵抗素子２０２の一端およびコンデンサ２０３の一端に接続されている。抵抗素子２０２の一端は抵抗素子２０１の他端およびコンデンサ２０３の一端に接続され、他端はブリッジダイオード２０４の第１のダイオードのカソードおよび第２のダイオードのアノードに接続されている。コンデンサ２０３の一端は抵抗素子２０１の他端および抵抗素子２０２の一端に接続され、他端はコモンモードコイル９２の第２の巻線の他端、ブリッジダイオード２０４の第３のダイオードのカソードおよび第４のダイオードのアノードに接続されている。
【００６５】
ブリッジダイオード２０４は、抵抗素子２０２の他端とコンデンサ２０３の他端との間の信号に対して全波整流を行うものである。ブリッジダイオード２０４の第１のダイオードのカソードおよび第２のダイオードのアノードは、抵抗素子２０２の他端に接続され、ブリッジダイオード２０４の第３のダイオードのカソードおよび第４のダイオードのアノードは、コンデンサ２０３の他端に接続されている。ブリッジダイオード２０４の第１のダイオードのアノードおよび第３のダイオードのアノードは、フォトカプラ２０５の発光ダイオードのカソードに接続されている。ブリッジダイオード２０４の第２のダイオードのカソードおよび第４のダイオードのカソードは、フォトカプラ２０５の発光ダイオードのアノードに接続されている。
【００６６】
フォトカプラ２０５の発光ダイオードのアノードはブリッジダイオード２０４の第２のダイオードのカソードおよび第４のダイオードのカソードに接続され、発光ダイオードのカソードはブリッジダイオード２０４の第１のダイオードのアノードおよび第３のダイオードのアノードに接続されている。フォトカプラ２０５のフォトダイオードのエミッタは接地され、コレクタは抵抗素子２０６の他端およびＮチャネルＦＥＴ２０７のゲートに接続されている。
【００６７】
抵抗素子２０６の一端には信号Ｓdc5が供給され、他端はフォトカプラ２０５のフォトダイオードのコレクタおよびＮチャネルＦＥＴ２０７のゲートに接続されている。ＮチャネルＦＥＴ２０７のドレインは抵抗素子２０８の他端および抵抗素子２０９の一端に接続され、ゲートはフォトカプラ２０５のフォトダイオードのコレクタおよび抵抗素子２０６の他端に接続され、ソースは接地されている。抵抗素子２０８の一端には信号Ｓdc5が供給され、他端はＮチャネルＦＥＴのドレインおよび抵抗素子２０９の一端に接続されている。抵抗素子２０９の一端はＮチャネルＦＥＴ２０７のドレインおよび抵抗素子２０８の他端に接続され、他端はＮＰＮトランジスタ２１１のベースおよび抵抗素子２１０の一端に接続されている。抵抗素子２１０の一端は抵抗素子２０９の他端およびＮＰＮトランジスタ２１１のベースに接続され、他端は接地されている。ＮＰＮトランジスタ２１１のコレクタは抵抗素子２１２の他端に接続され、ベースは抵抗素子２０９の他端および抵抗素子２１０の一端に接続され、エミッタは接地されている。抵抗素子２１２の一端には信号Ｓdc5が供給され、他端はＮＰＮトランジスタ２１１のコレクタに接続されている。ゼロクロス検出回路２００は、ＮＰＮトランジスタ２１１のコレクタおよび抵抗素子２１２の他端における電圧をゼロクロス信号ＳＺとして出力するようになっている。
【００６８】
この構成により、ゼロクロス検出回路２００は、交流信号Ｓac1のゼロクロスタイミングごとに発生するパルスを有するゼロクロス信号ＳＺを生成するようになっている。
【００６９】
（ＤＣ−ＤＣコンバータ６１）
ＤＣ−ＤＣコンバータ６１（図４）は、信号Ｓdc390に基づいて、信号Ｓdc24，Ｓdc5を生成するものである。信号Ｓdc24の電圧は、この例では２４Ｖである。信号Ｓdc24，Ｓdc5は、画像形成装置１内の様々なブロックで用いられるものである。ＤＣ−ＤＣコンバータ６１は、公知の技術を用いて構成されるものである。
【００７０】
（ＤＣ−ＡＣインバータ６２）
ＤＣ−ＡＣインバータ６２は、信号Ｓdc390、ゼロクロス信号ＳＺ、およびヒータ制御信号ＨＡ，ＨＢに基づいて、交流信号Ｓac2A，Ｓac2Bを生成するものである。具体的には、後述するように、ＤＣ−ＡＣインバータ６２は、ゼロクロス信号ＳＺに基づいて、交流信号Ｓac1の周波数とほぼ同じ周波数の交流信号Ｓac2を生成する。そして、ＤＣ−ＡＣインバータ６２は、ヒータ制御信号ＨＡに基づいて、この交流信号Ｓac2を交流信号Ｓac2Aとしてヒータ４２Ａに供給するとともに、ヒータ制御信号ＨＢに基づいて、この交流信号Ｓac2を交流信号Ｓac2Bとしてヒータ４２Ｂに供給するようになっている。また、ＤＣ−ＡＣインバータ６２は、ヒータ４２Ａ，４２Ｂに対して電力を供給し始める場合には、いわゆるスローアップ制御を行うことにより、電力供給量を徐々に増やすようになっている。ＤＣ−ＡＣインバータ６２は、ＤＣ−ＤＣコンバータ４００Ａ，４００Ｂ，４００Ｃと、スイッチング部３００と、ＡＣスイッチ４１０，４２０と、制御回路３９０とを有している。
【００７１】
ＤＣ−ＤＣコンバータ４００Ａは、信号Ｓdc24に基づいて、信号Ｓdc15A，Ｓdc0Aを生成するものである。ＤＣ−ＤＣコンバータ４００Ｂは、信号Ｓdc24に基づいて、信号Ｓdc15B，Ｓdc0Bを生成するものである。ＤＣ−ＤＣコンバータ４００Ｃは、信号Ｓdc24に基づいて、信号Ｓdc15C，Ｓdc0Cを生成するものである。信号Ｓdc15Aの電圧は、信号Ｓdc0Aの電圧よりも１５Ｖ高いものであり、信号Ｓdc15Cの電圧は、信号Ｓdc0Cの電圧よりも１５Ｖ高いものである。
【００７２】
スイッチング部３００は、信号Ｓdc390、およびＰＷＭ信号ＰＷＭＡ，ＰＷＭＢ，ＰＷＭＣ，ＰＷＭＤに基づいて交流信号Ｓac2を生成するものである。また、スイッチング部３００は、入力電流、入力電圧、および出力電圧に関する情報を、信号ＳＩおよびＰＷＭ信号ＰＷＭＥ，ＰＷＭＦを用いて制御回路３９０に通知する機能をも有している。
【００７３】
図８は、スイッチング部３００の一構成例を表すものである。この図では、スイッチング部３００に加え、ＡＣスイッチ４１０，４２０、ヒータ４２Ａ，４２Ｂ、および制御回路３９０をも描いている。スイッチング部３００は、コンデンサ３０３と、電流検出回路３５０と、スイッチング回路３１０，３２０，３３０，３４０と、インダクタ３０１と、コンデンサ３０２とを有している。スイッチング部３００には、ＤＣ−ＤＣコンバータ４００Ａから、端子Ｔ３８１を介して、信号Ｓdc15A，Ｓdc0Aが供給され、ＤＣ−ＤＣコンバータ４００Ｂから、端子Ｔ３８２を介して、信号Ｓdc15B，Ｓdc0Bが供給され、ＤＣ−ＤＣコンバータ４００Ｃから、端子Ｔ３８３を介して、信号Ｓdc15C，Ｓdc0Cが供給される。また、スイッチング部３００には、力率改善回路１００から、端子Ｔ３８４を介して、信号Ｓdc390，Ｓdc0Bが供給されるようになっている。
【００７４】
コンデンサ３０３の一端には信号Ｓdc390が供給され、他端には信号Ｓdc0Bが供給されている。電流検出回路３５０は、スイッチング部３００の入力電流を検出するものである。
【００７５】
図９は、電流検出回路３５０の一構成例を表すものである。電流検出回路３５０は、カレントトランス３５１と、抵抗素子３５２と、ダイオード３５３と、抵抗素子３５４，３５５と、コンデンサ３５６とを有している。なお、図８では、これらの素子のうち、カレントトランス３５１を描いている。カレントトランス３５１の第１の巻線の一端には信号Ｓdc390が供給され、他端は、図８に示したようにスイッチング回路３１０，３３０および抵抗素子３６５の一端に接続されている。カレントトランス３５１の第２の巻線の一端は抵抗素子３５２の一端およびダイオード３５３のアノードに接続され、他端は接地されている。カレントトランス３５１の第１の巻線は、例えば１ターン弱から２ターン程度にすることができ、第２の巻線は、例えば１００〜２００ターン程度にすることができる。抵抗素子３５２の一端はカレントトランス３５１の第２の巻線の一端およびダイオード３５３のアノードに接続され、他端は接地されている。ダイオード３５３のアノードはカレントトランス３５１の第２の巻線の一端および抵抗素子３５２の一端に接続され、他端は抵抗素子３５４の一端および抵抗素子３５５の一端に接続されている。抵抗素子３５４の一端はダイオード３５３のカソードおよび抵抗素子３５５の一端に接続され、他端は接地されている。抵抗素子３５５の一端はダイオード３５３のカソードおよび抵抗素子３５４の一端に接続され、他端はコンデンサ３５６の一端に接続されている。コンデンサ３５６の一端は抵抗素子３５５の他端に接続され、他端は接地されている。電流検出回路３５０は、抵抗素子３５５の他端およびコンデンサ３５６の一端における電圧を、信号ＳＩとして出力するようになっている。
【００７６】
スイッチング回路３１０（図８）は、ＰＷＭ（Pulse Width Modulation）信号ＰＷＭＡに基づいてスイッチング動作を行うものである。
【００７７】
図１０は、スイッチング回路３１０の一構成例を表すものである。スイッチング回路３１０は、抵抗素子３１２と、ＮチャネルＦＥＴ３１３と、フォトカプラ３１４と、抵抗素子３１５，３１６と、ＩＧＢＴ３１１と、ダイオード３１１Ｄとを有している。なお、図８では、これらの素子のうち、ＩＧＢＴ３１１を描いている。
【００７８】
抵抗素子３１２の一端には信号Ｓdc5が供給され、他端はフォトカプラ３１４の発光ダイオードのアノードに接続されている。ＮチャネルＦＥＴ３１３のドレインはフォトカプラ３１４の発光ダイオードのカソードに接続され、ゲートにはＰＷＭ信号ＰＷＭＡが供給され、ソースは接地されている。フォトカプラの発光素子のアノードは抵抗素子３１２の他端に接続され、カソードはＮチャネルＦＥＴ３１３のドレインに接続されている。フォトカプラ３１４のＮＰＮトランジスタのコレクタには信号Ｓdc15Aが供給され、エミッタは抵抗素子３１５の一端に接続されている。フォトカプラ３１４のＰＮＰトランジスタのエミッタは抵抗素子３１５の一端に接続され、コレクタは、抵抗素子３１６の他端、ＩＧＢＴ３１１のエミッタ、およびダイオード３１１Ｄのアノードに接続されている。抵抗素子３１５の一端は、フォトカプラ３１４のＮＰＮトランジスタのエミッタおよびＰＮＰトランジスタのエミッタに接続され、他端はＩＧＢＴ３１１のベースおよび抵抗素子３１６の一端に接続されている。抵抗素子３１６の一端は抵抗素子３１５の他端およびＩＧＢＴ３１１のベースに接続され、他端はフォトカプラ３１４のＰＮＰトランジスタのコレクタ、ＩＧＢＴ３１１のエミッタ、およびダイオード３１１Ｄのアノードに接続されている。ＩＧＢＴ３１１のコレクタはダイオード３１１Ｄのカソードに接続されるとともに、図８に示したように信号Ｓdc390が供給され、ベースは抵抗素子３１５の他端および抵抗素子３１６の一端に接続され、エミッタはダイオード３１１Ｄのアノード、抵抗素子３１６の他端、およびフォトカプラ３１４のＰＮＰトランジスタのコレクタに接続されるとともに、図８に示したように、スイッチング回路３２０、コンデンサ３０２の他端、およびヒータ４２の他端に接続されている。ダイオード３１１ＤのアノードはＩＧＢＴ３１１のエミッタ、抵抗素子３１６の他端、およびフォトカプラ３１４のＰＮＰトランジスタのコレクタに接続され、カソードはＩＧＢＴ３１１のコレクタに接続されるとともに信号Ｓdc390が供給されている。
【００７９】
スイッチング回路３２０（図８）は、ＰＷＭ信号ＰＷＭＢに基づいてスイッチング動作を行うものである。スイッチング回路３２０は、スイッチング回路３１０（図１０）と同様の構成を有するものである。スイッチング回路３２０のフォトカプラには信号Ｓdc15Bが供給される。スイッチング回路３２０は、ＩＧＢＴ３２１を有している。ＩＧＢＴ３２１は、スイッチング回路３１０におけるＩＧＢＴ３１１に対応するものである。ＩＧＢＴ３２１のコレクタは、スイッチング回路３１０のＩＧＢＴ３１１のエミッタ、コンデンサ３０２の他端、およびヒータ４２の他端に接続され、エミッタには信号Ｓdc0Bが供給されている。
【００８０】
スイッチング回路３３０は、ＰＷＭ信号ＰＷＭＣに基づいてスイッチング動作を行うものである。スイッチング回路３３０は、スイッチング回路３１０（図１０）と同様の構成を有するものである。スイッチング回路３３０のフォトカプラには信号Ｓdc15Cが供給される。スイッチング回路３３０は、ＩＧＢＴ３３１を有している。ＩＧＢＴ３３１は、スイッチング回路３１０におけるＩＧＢＴ３１１に対応するものである。ＩＧＢＴ３３１のコレクタには信号Ｓdc390が供給され、エミッタは、スイッチング回路３４０およびインダクタ３０１の一端に接続されている。
【００８１】
スイッチング回路３４０は、ＰＷＭ信号ＰＷＭＤに基づいてスイッチング動作を行うものである。スイッチング回路３４０は、スイッチング回路３１０（図１０）と同様の構成を有するものである。スイッチング回路３４０のフォトカプラには信号Ｓdc15Bが供給される。スイッチング回路３４０は、ＩＧＢＴ３４１を有している。ＩＧＢＴ３４１は、スイッチング回路３１０におけるＩＧＢＴ３１１に対応するものである。ＩＧＢＴ３４１のコレクタは、スイッチング回路３３０のＩＧＢＴ３３１のエミッタおよびインダクタ３０１の一端に接続され、エミッタには信号Ｓdc0Bが供給されている。また、スイッチング回路３４０は、フォトカプラの出力電圧を信号ＰＷＭＤ２として出力するようになっている。
【００８２】
なお、この例では、ＩＧＢＴ３１１，３２１，３３１，３４１を用いたが、これに限定されるものではなく、これに代えて、例えばＳｉ−ＦＥＴ、ＳｉＣ−ＦＥＴ、ＧａＮ−ＦＥＴなどを用いてもよい。また、フルブリッジ構成を用いたが、これに限定されるものではなく、ハーフブリッジ構成を用いてもよい。
【００８３】
インダクタ３０１の一端はスイッチング回路３３０のＩＧＢＴ３３１のエミッタおよびスイッチング回路３４０のＩＧＢＴ３４１のコレクタに接続され、他端はコンデンサ３０２の一端、ＡＣスイッチ４１０の一端およびＡＣスイッチ４２０の一端に接続されている。コンデンサ３０２の一端はインダクタ３０１の他端、ＡＣスイッチ４１０の一端、およびＡＣスイッチ４２０の一端に接続され、他端はスイッチング回路３１０のＩＧＢＴ３１１のエミッタ、スイッチング回路３２０のＩＧＢＴ３２１のコレクタ、ヒータ４２Ａの他端、およびヒータ４２Ｂの他端に接続されている。
【００８４】
スイッチング部３００は、さらに、抵抗素子３６５，３６６と、抵抗素子３０４，３０５と、ＮＰＮトランジスタ３０６と、抵抗素子３０７，３０８と、ＰＮＰトランジスタ３０９と、抵抗素子３６１〜３６３と、コンデンサ３６４と、低ドロップアウトリニアレギュレータ（ＬＤＯ）３６７と、ＰＷＭ信号生成回路３６８と、回路３７０，３８０とを有している。
【００８５】
抵抗素子３６５の一端は電流検出回路３５０のカレントトランス３５１の第１の巻線の他端に接続され、他端は抵抗素子３６６の一端に接続されている。抵抗素子３６６の一端は抵抗素子３６５の他端に接続され、他端には信号Ｓdc0Bが供給されている。抵抗素子３６５の他端および抵抗素子３６６の一端における電圧は、信号Ａ１としてＰＷＭ信号生成回路３６８に供給されるようになっている。
【００８６】
抵抗素子３０４の一端には信号ＰＷＭＤ２が供給され、他端は抵抗素子３０５の一端およびＮＰＮトランジスタ３０６のベースに接続されている。抵抗素子３０５の一端は、抵抗素子３０４の他端およびＮＰＮトランジスタ３０６のベースに接続され、他端には信号Ｓdc0Bが供給されている。ＮＰＮトランジスタ３０６のコレクタは抵抗素子３０７の他端に接続され、ベースは抵抗素子３０４の他端および抵抗素子３０５の一端に接続され、エミッタには信号Ｓdc0Bが供給されている。抵抗素子３０７の一端はＰＮＰトランジスタ３０９のベースおよび抵抗素子３０８の他端に接続され、他端はＮＰＮトランジスタ３０６のコレクタに接続されている。抵抗素子３０８の一端はＰＮＰトランジスタ３０９のエミッタおよび抵抗素子３６１の他端に接続され、他端はＰＮＰトランジスタ３０９のベースおよび抵抗素子３０７の一端に接続されている。ＰＮＰトランジスタ３０９のエミッタは抵抗素子３０８の一端および抵抗素子３６１の他端に接続され、ベースは抵抗素子３０７の一端および抵抗素子３０８の他端に接続され、コレクタは抵抗素子３６２の一端および抵抗素子３６３の一端に接続されている。抵抗素子３６３の一端はＰＮＰトランジスタ３０９のコレクタおよび抵抗素子３６２の一端に接続され、他端には信号Ｓdc0Bが供給されている。抵抗素子３６３の一端はＰＮＰトランジスタ３０９のコレクタおよび抵抗素子３６２の一端に接続され、他端はコンデンサ３６４の一端に接続されている。コンデンサ３６４の一端は抵抗素子３６３の他端に接続され、他端には信号Ｓdc0Bが供給されている。抵抗素子３６３の他端およびコンデンサ３６４の一端における電圧は、信号Ａ２としてＰＷＭ信号生成回路３６８に供給されるようになっている。
【００８７】
ＬＤＯ３６７は、信号Ｓdc15B，Ｓdc0Bに基づいて信号Ｓdc5Bを生成するものである。この例では、信号Ｓdc5Bの電圧は、信号Ｓdc0Bの電圧よりも５Ｖ高いものである。ＰＷＭ信号生成回路３６８は、信号Ａ１の電圧に応じたデューティ比を有するＰＷＭ信号Ｂ１を生成するとともに、信号Ａ２の電圧に応じたデューティ比を有するＰＷＭ信号Ｂ２を生成するものである。具体的には、ＰＷＭ信号生成回路３６８は、例えば信号Ａ１の電圧が５Ｖである場合にはＰＷＭ信号Ｂ１のデューティ比を１００％にし、例えば信号Ａ１の電圧が２．５Ｖである場合にはＰＷＭ信号Ｂ１のデューティ比を５０％にし、例えば信号Ａ１の電圧が０Ｖである場合にはＰＷＭ信号Ｂ１のデューティ比を０％にするようになっている。信号Ａ２，Ｂ２についても同様である。
【００８８】
回路３７０は、ＰＷＭ信号Ｂ１に基づいてＰＷＭ信号ＰＷＭＥを生成するものである。回路３７０は、抵抗素子３７１、３７２と、ＮＰＮトランジスタ３７３と、フォトカプラ３７４と、抵抗素子３７５とを有している。抵抗素子３７１の一端には信号Ｓdc5Bが供給され、他端はフォトカプラ３７４の発光ダイオードのアノードに接続されている。抵抗素子３７２の一端には信号Ｂ１が供給され、他端はＮＰＮトランジスタ３７３のベースに接続されている。ＮＰＮトランジスタ３７３のコレクタはフォトカプラ３７４の発光ダイオードのカソードに接続され、ベースは抵抗素子３７２の他端に接続され、エミッタには信号Ｓdc0Bが供給されている。フォトカプラ３７４の発光ダイオードのアノードは抵抗素子３７１の他端に接続され、カソードはＮＰＮトランジスタ３７３のコレクタに接続されている。フォトカプラ３７４のＮＰＮトランジスタのコレクタは抵抗素子３７５の他端に接続され、エミッタは接地されている。抵抗素子３７５の一端には信号Ｓdc5が供給され、他端はフォトカプラ３７４のＮＰＮトランジスタのコレクタに接続されている。この抵抗素子３７５の他端における電圧は、信号ＰＷＭＥとして制御回路３９０に供給されるようになっている。
【００８９】
回路３８０は、ＰＷＭ信号Ｂ２に基づいてＰＷＭ信号ＰＷＭＦを生成するものである。
回路３８０は、回路３７０と同様の構成を有するものである。
【００９０】
ＡＣスイッチ４１０（図４）は、スイッチ制御信号ＳＷＡに基づいて、交流信号Ｓac2を交流信号Ｓac2Aとしてヒータ４２Ａに供給するものである。図８に示したように、ＡＣスイッチ４１０の一端は、インダクタ３０１の他端およびコンデンサ３０２の一端に接続され、他端はヒータ４２Ａの一端に接続されている。
【００９１】
図１１は、ＡＣスイッチ４１０の一構成例を表すものである。この図では、ＡＣスイッチ４１０に加え、インダクタ３０１、コンデンサ３０２、およびヒータ４２Ａをも描いている。ＡＣスイッチ４１０は、ＮチャネルＦＥＴ４１１と、抵抗素子４１２と、フォトトライアックカプラ４１３と、抵抗素子４１４と、トライアック４１５と、抵抗素子４１６とを有している。ＮチャネルＦＥＴ４１１のドレインはフォトトライアックカプラ４１３の発光ダイオードのカソードに接続され、ゲートにはスイッチ制御信号ＳＷＡが供給され、ソースは接地されている。抵抗素子４１２の一端には信号Ｓdc5が供給され、他端はフォトトライアックカプラ４１３の発光ダイオードのアノードに接続されている。フォトトライアックカプラ４１３は、いわゆるゼロクロスタイプのものである。フォトトライアックカプラ４１３の発光ダイオードのアノードは抵抗素子４１２の他端に接続され、カソードはＮチャネルＦＥＴ４１１のドレインに接続されている。フォトトライアックカプラ４１３のトライアックの一端は抵抗素子４１４の他端およびトライアック４１５のゲートに接続され、他端は抵抗素子４１６の他端に接続されている。抵抗素子４１４の一端はトライアック４１５の一端に接続され、他端はトライアック４１５のゲートおよびフォトトライアックカプラ４１３のトライアックの一端に接続されている。トライアック４１５の一端は抵抗素子４１４の一端に接続されるとともに、インダクタ３０１の他端およびコンデンサ３０２の一端に接続され、他端は抵抗素子４１６の一端に接続されるとともにヒータ４２Ａの一端に接続され、ゲートは抵抗素子４１４の他端およびフォトトライアックカプラ４１３のトライアックの一端に接続されている。抵抗素子４１６の一端はトライアック４１５の他端に接続され、他端はフォトトライアックカプラ４１３のトライアックの他端に接続されている。この構成により、ＡＣスイッチ４１０は、スイッチ制御信号ＳＷＡに応じて、交流信号Ｓac2のゼロクロスタイミングでオンオフするようになっている。
【００９２】
ＡＣスイッチ４２０（図４）は、スイッチ制御信号ＳＷＢに基づいて、交流信号Ｓac2を交流信号Ｓac2Bとしてヒータ４２Ｂに供給するものである。図８に示したように、ＡＣスイッチ４２０の一端は、インダクタ３０１の他端およびコンデンサ３０２の一端に接続され、他端はヒータ４２Ｂの一端に接続されている。ＡＣスイッチ４２０は、ＡＣスイッチ４１０（図１１）と同様の構成を有するものである。
【００９３】
制御回路３９０は、スイッチング回路３１０，３２０，３３０，３４０におけるスイッチング動作を制御するものである。制御回路３９０は、例えば、ＡＳＩＣ（Application Specific Integrated Circuit）、ＦＰＧＡ（Field Programmable Gate Array）、マイクロコントローラなどを用いて構成されるものである。制御回路３９０は、スイッチング回路３１０，３２０，３３０，３４０に対してＰＷＭ信号ＰＷＭＡ，ＰＷＭＢ，ＰＷＭＣ，ＰＷＭＤをそれぞれ供給することにより、スイッチング部３００が交流信号Ｓac2を生成するように制御する。具体的には、制御回路３９０は、ＩＧＢＴ３３１，３４１を例えば５０Ｈｚでスイッチングさせるとともに、ＩＧＢＴ３１１，３２１を例えば２０ｋＨｚでスイッチングさせる。なお、この例では、ＩＧＢＴ３１１，３２１のスイッチング周波数を２０ｋＨｚとしたが、これに限定されるものではない。ＩＧＢＴ３１１，３２１のスイッチング周波数は２０ｋＨｚ以上が望ましい。これにより、ＩＧＢＴ３１１，３２１のスイッチングに起因して音（ノイズ）が生じても、周波数が人の可聴域よりも高いため、音を聞こえにくくすることができる。その際、ＩＧＢＴの代わりに、例えばＧａＮ−ＦＥＴを用いてもよい。
【００９４】
図１２は、ＰＷＭ信号ＰＷＭＡ，ＰＷＭＢ，ＰＷＭＣ，ＰＷＭＤの一例を表すものである。この例では、説明の便宜上、ＩＧＢＴ３１１，３２１のスイッチング周波数を１．８ｋＨｚとしている。この例では、ＰＷＭ信号ＰＷＭＡが高レベルであるときにＩＧＢＴ３１１はオン状態になり、ＰＷＭ信号ＰＷＭＡが低レベルであるときにＩＧＢＴ３１１はオフ状態になる。ＰＷＭ信号ＰＷＭＢ，ＰＷＭＣ，ＰＷＭＤについても同様である。
【００９５】
制御回路３９０は、図１２に示したように、ＰＷＭ信号ＰＷＭＣ，ＰＷＭＤの１周期の期間のうちの前半の期間において、ＰＷＭ信号ＰＷＭＣを低レベルにするとともに、ＰＷＭ信号ＰＷＭＤを高レベルにする。これにより、ＩＧＢＴ３３１はオフ状態になるとともに、ＩＧＢＴ３４１はオン状態になる。また、制御回路３９０は、ＰＷＭ信号ＰＷＭＣ，ＰＷＭＤの１周期の期間のうちの後半の期間において、ＰＷＭ信号ＰＷＭＣを高レベルにするとともに、ＰＷＭ信号ＰＷＭＤを低レベルにする。これにより、ＩＧＢＴ３３１はオン状態になるとともに、ＩＧＢＴ３４１はオフ状態になる。このとき、制御回路３９０は、ＩＧＢＴ３３１，３４１が同時にオン状態にならないように、スイッチング部３００を制御する。具体的には、制御回路３９０は、図１２に示したように、ＩＧＢＴ３３１がオフ状態になった後にＩＧＢＴ３４１をオン状態にし、ＩＧＢＴ３４１がオフ状態になった後にＩＧＢＴ３３１をオン状態にする。この例では、ＩＧＢＴ３３１、３４１がともにオフ状態になる時間幅（デッドタイム）は、この例では２μsecに設定されている。
【００９６】
また、制御回路３９０は、図１２に示したように、ＰＷＭ信号ＰＷＭＡ，ＰＷＭＢのデューティ比を徐々に変化させる。これにより、ＤＣ−ＡＣインバータ６２は、正弦波状の交流信号Ｓac2を生成することができる。このとき、スイッチング部３００では、ＩＧＢＴ３１１，３２１が同時にオン状態にならないようにするため、この例では、２μsecのデッドタイムを設けている。
【００９７】
図１２に示したように、ＰＷＭ信号ＰＷＭＣ，ＰＷＭＤの１周期の期間のうちの前半の期間では、ＩＧＢＴ３４１がオン状態になる。よって、スイッチング部３００では、ＩＧＢＴ３１１がオン状態になることにより、ＩＧＢＴ３１１、ヒータ４２Ａ，４２Ｂ、インダクタ３０１、ＩＧＢＴ３４１の順に電流が流れる。また、ＰＷＭ信号ＰＷＭＣ，ＰＷＭＤの１周期の期間のうちの後半の期間では、ＩＴＢＴ３３１がオン状態になる。よって、スイッチング部３００では、ＩＧＢＴ３２１がオン状態になることにより、ＩＧＢＴ３３１、インダクタ３０１、ヒータ４２Ａ，４２Ｂ、ＩＧＢＴ３２１の順に電流が流れる。ＤＣ−ＡＣインバータ６２は、このようにして、交流信号Ｓac2を生成するようになっている。
【００９８】
制御回路３９０は、ＰＷＭ信号ＰＷＭＡ，ＰＷＭＢ，ＰＷＭＣ，ＰＷＭＤを生成する際、１９．９ｍｓｅｃ周期のＰＷＭ信号ＰＷＭＡ，ＰＷＭＢ，ＰＷＭＣ，ＰＷＭＤまたは２０．１ｍｓｅｃ周期のＰＷＭ信号ＰＷＭＡ，ＰＷＭＢ，ＰＷＭＣ，ＰＷＭＤを選択的に生成する。
【００９９】
図１３は、制御回路３９０の一動作例を表すものである。この例では、交流信号Ｓac1の周波数は５０Ｈｚであるので、ゼロクロス信号ＳＺのパルスは、１０ｍｓｅｃ周期で現れる。制御回路３９０は、この例では、ゼロクロス信号ＳＺの立ち上がりエッジの位相と、ＰＷＭ信号ＰＷＭＤの立ち上がりエッジとの位相とを比較する。そして、ＰＷＭ信号ＰＷＭＤの位相が進んでいる場合には、制御回路３９０は、２０．１ｍｓｅｃ周期のＰＷＭ信号ＰＷＭＡ，ＰＷＭＢ，ＰＷＭＣ，ＰＷＭＤを生成し、ＰＷＭ信号ＰＷＭＤの位相が進んでいる場合には、１９．９ｍｓｅｃ周期のＰＷＭ信号ＰＷＭＡ，ＰＷＭＢ，ＰＷＭＣ，ＰＷＭＤを生成する。これにより、制御回路３９０では、交流信号Ｓac2の周波数が、交流信号Ｓac1の周波数に近くなるように制御する。その結果、交流信号Ｓac2の周波数の平均値は、交流信号Ｓac1の周波数とほぼ一致するようになる。
【０１００】
なお、この例では、制御回路３９０は、ゼロクロス信号ＳＺの立ち上がりエッジの位相と、ＰＷＭ信号ＰＷＭＤの立ち上がりエッジとの位相とを比較するようにしたが、これに限定されるものではない。例えば、ゼロクロス信号ＳＺの立ち上がりエッジに代えて、ゼロクロス信号ＳＺの立ち下がりエッジを用いてもよい。また、例えば、ＰＷＭ信号ＰＷＭＤに代えて、ＰＷＭ信号ＰＷＭＣを用いてもよい。
【０１０１】
図１４（Ａ）は、１９．９ｍｓｅｃ周期のＰＷＭ信号ＰＷＭＡ，ＰＷＭＢ，ＰＷＭＣ，ＰＷＭＤに基づいて生成される交流信号Ｓac2の波形を示し、図１４（Ｂ）は、２０．１ｍｓｅｃ周期のＰＷＭ信号ＰＷＭＡ，ＰＷＭＢ，ＰＷＭＣ，ＰＷＭＤに基づいて生成される交流信号Ｓac2の波形を示す。この例では、どちらのケースでも、１９．９ｍｓｅｃまでは、交流信号Ｓac2の波形は同じである。言い換えれば、１９．９ｍｓｅｃ周期のＰＷＭ信号ＰＷＭＡ，ＰＷＭＢ，ＰＷＭＣ，ＰＷＭＤと、２０．１ｍｓｅｃ周期のＰＷＭ信号ＰＷＭＡ，ＰＷＭＢ，ＰＷＭＣ，ＰＷＭＤは、１９．９ｍｓｅｃまでは同じである。そして、２０．１ｍｓｅｃ周期のＰＷＭ信号ＰＷＭＡ，ＰＷＭＢ，ＰＷＭＣ，ＰＷＭＤに基づいて生成される交流信号Ｓac2では、１９．９〜２０．１ｍｓｅｃの期間において０Ｖになるようになっている。
【０１０２】
ＩＧＢＴ３１１，３２１のスイッチング周波数は２０ｋＨｚであるので、２０．１ｍｓｅｃ周期のＰＷＭ信号ＰＷＭＡ，ＰＷＭＢを生成する場合には、スイッチングサイクルの数は４０２（０〜４０１）である。例えば３９０Ｖｐの交流信号Ｓac2を生成する場合には、各スイッチングサイクルＣＹＣＬＥでのスイッチングデューティ比ＤＵＴＹは、以下の式を用いて求めることができる。
【数１】
0006509052.tif 000002
一方、１９．９ｍｓｅｃ周期のＰＷＭ信号ＰＷＭＡ，ＰＷＭＢを生成する場合には、スイッチングサイクルの数は３９８（０〜３９７）である。よって、この場合には、スイッチングサイクルＣＹＣＬＥが０〜３９７の範囲で、式（１）を用いればよい。
【０１０３】
なお、この例では、制御回路３９０は、１９．９ｍｓｅｃ周期のＰＷＭ信号ＰＷＭＡ，ＰＷＭＢ，ＰＷＭＣ，ＰＷＭＤまたは２０．１ｍｓｅｃ周期のＰＷＭ信号ＰＷＭＡ，ＰＷＭＢ，ＰＷＭＣ，ＰＷＭＤを選択的に生成するようにしたが、周期はこれに限定されるものではなく、互いに異なる任意の周期を設定することができる。
【０１０４】
交流信号Ｓac1の周波数が６０Ｈｚの場合には、制御回路３９０は、ＩＧＢＴ３３１，３４１を６０Ｈｚでスイッチングさせるとともに、ＩＧＢＴ３１１，３２１を２０ｋＨｚでスイッチングさせる。この場合には、制御回路３９０は、１６．５ｍｓｅｃ周期のＰＷＭ信号ＰＷＭＡ，ＰＷＭＢ，ＰＷＭＣ，ＰＷＭＤまたは１６．８ｍｓｅｃ周期のＰＷＭ信号ＰＷＭＡ，ＰＷＭＢ，ＰＷＭＣ，ＰＷＭＤを選択的に生成する。１６．８ｍｓｅｃ周期のＰＷＭ信号ＰＷＭＡ，ＰＷＭＢ，ＰＷＭＣ，ＰＷＭＤを生成する場合には、スイッチングサイクルの数は３３６（０〜３３５）である。例えば３９０Ｖｐの交流信号Ｓac2を生成する場合には、各スイッチングサイクルＣＹＣＬＥでのスイッチングデューティ比ＤＵＴＹは、以下の式を用いて求めることができる。
【数２】
0006509052.tif 000003
一方、１６．５ｍｓｅｃ周期のＰＷＭ信号ＰＷＭＡ，ＰＷＭＢを生成する場合には、スイッチングサイクルの数は３３０（０〜３２９）である。よって、この場合には、スイッチングサイクルＣＹＣＬＥが０〜３２９の範囲で、式（２）を用いればよい。
【０１０５】
制御回路３９０は、図８に示したように、デューティ比テーブル３９１Ａと、デューティ比テーブル３９１Ｂと、カウンタ３９２とを有している。
【０１０６】
デューティ比テーブル３９１Ａ，３９１Ｂは、ＩＧＢＴ３１１，３２１のスイッチングサイクルごとのスイッチングデューティ比を示すものである。デューティ比テーブル３９１Ａは、交流信号Ｓac1の周波数が５０Ｈｚである場合に使用するものであり、デューティ比テーブル３９１Ｂは、交流信号Ｓac1の周波数が６０Ｈｚである場合に使用するものである。
【０１０７】
デューティ比テーブル３９１Ａは、この例では、１３個のテーブル３９１Ａ１〜３９１Ａ１３を有している。テーブル３９１Ａ１は、式（１）の右辺に０．３を乗じることにより得られるものである。テーブル３９１Ａ２は、式（１）の右辺に０．３５を乗じることにより得られるものである。テーブル３９１Ａ３は、式（１）の右辺に０．４を乗じることにより得られるものである。テーブル３９１Ａ４〜３９１Ａ１２についても同様である。そしてテーブル３９１Ａ１３は、式（１）の右辺に０．９を乗じることにより得られるものである。
【０１０８】
デューティ比テーブル３９１Ｂは、この例では、１３個のテーブル３９１Ｂ１〜３９１Ｂ１３を有している。テーブル３９１Ｂ１は、式（２）の右辺に０．３を乗じることにより得られるものである。テーブル３９１Ｂ２は、式（２）の右辺に０．３５を乗じることにより得られるものである。テーブル３９１Ｂ３は、式（２）の右辺に０．４を乗じることにより得られるものである。テーブル３９１Ｂ４〜３９１Ｂ１２についても同様である。そしてテーブル３９１Ｂ１３は、式（２）の右辺に０．９を乗じることにより得られるものである。
【０１０９】
カウンタ３９２は、スイッチングサイクルの数をカウントするものである。
【０１１０】
制御回路３９０は、このようなデューティ比テーブル３９１Ａ，３９１Ｂを用いて、ＰＷＭ信号ＰＷＭＡ，ＰＷＭＢを生成する。具体的には、制御回路３９０は、まず、ゼロクロス信号ＳＺに基づいて、交流信号Ｓac1の周波数を検出し、その検出結果に基づいて、デューティ比テーブル３９１Ａまたはデューティ比テーブル３９１Ｂを選択する。そして、選択されたデューティ比テーブルに含まれる１３個のテーブル３９１のうちの１つを選択し、そのテーブル３９１から、カウンタ３９２の値に対応するスイッチングサイクルにおけるスイッチングデューティ比を順次読み出し、そのスイッチングデューティ比に基づいてＰＷＭ信号ＰＷＭＡ，ＰＷＭＢを生成する。
【０１１１】
図１５は、交流信号Ｓac2の一例を表すものである。交流信号Ｓac2の振幅は、例えば、テーブル３９１Ａ１，３９１Ｂ１を用いた場合には、信号Ｓdc390の電圧（この例では３９０Ｖ）の３０％（この例では１１７Ｖｐ）になる。また、交流信号Ｓac2の振幅は、例えば、テーブル３９１Ａ１３，３９１Ｂ１３を用いた場合には、信号Ｓdc390の電圧（この例では３９０Ｖ）の９０％（この例では３５１Ｖｐ）になる。このようにして、ＤＣ−ＡＣインバータ６２は、交流信号Ｓac2の振幅を、信号Ｓdc390の電圧（この例では３９０Ｖ）の３０％から９０％の範囲で、５％刻みで設定できるようになっている。
【０１１２】
制御回路３９０は、ヒータ制御信号ＨＡがイネーブルである場合には、スイッチ制御信号ＳＷＡをイネーブルにするとともに、図１２に示したようなＰＷＭ信号ＰＷＭＡ，ＰＷＭＢ，ＰＷＭＣ，ＰＷＭＤを生成する。これにより、スイッチング部３００が生成した交流信号Ｓac2が、ＡＣスイッチ４１０を介してヒータ４２Ａに供給される。同様に、制御回路３９０は、ヒータ制御信号ＨＢがイネーブルである場合には、スイッチ制御信号ＳＷＢをイネーブルにするとともに、図１２に示したようなＰＷＭ信号ＰＷＭＡ，ＰＷＭＢ，ＰＷＭＣ，ＰＷＭＤを生成する。これにより、スイッチング部３００が生成した交流信号Ｓac2が、ＡＣスイッチ４２０を介してヒータ４２Ｂに供給される。
【０１１３】
その際、制御回路３９０は、後述するように、ヒータ４２Ａ，４２Ｂのうちの少なくとも一方に電力を供給し始める場合には、上述した１３個のテーブル３９１Ａ１〜３９１Ａ１３を順次選択し、電力供給量を徐々に増やすように動作する。すなわち、ヒータ４２Ａ，４２Ｂに対して、冷えた状態で通電を開始すると、ヒータ４２Ａ，４２Ｂの抵抗値が低いため、突入電流が大きくなってしまう。そこで、制御回路３９０は、まず最初は、電力供給量を低く設定し、ヒータ４２Ａ，４２Ｂが温まり電流が下がってきたら、電力供給量を増やす。このようにして、制御回路３９０は、ヒータ４２Ａ，４２Ｂに電力を供給し始める際は、いわゆるスローアップ制御を行うことにより、電力供給量を徐々に増やすようになっている。
【０１１４】
また、制御回路３９０は、ヒータ制御信号ＨＡ，ＨＢの両方がディセーブルである場合には、スイッチング部３００を待機モードで動作させることにより、交流信号Ｓac2の生成を停止させる機能をも有している。
【０１１５】
図１６は、交流信号Ｓac2の生成を停止させる場合における、ＰＷＭ信号ＰＷＭＡ，ＰＷＭＢ，ＰＷＭＣ，ＰＷＭＤの一例を表すものである。制御回路３９０は、図１６における前半の期間において、ＰＷＭ信号ＰＷＭＡ，ＰＷＭＣを低レベルにするとともに、ＰＷＭ信号ＰＷＭＢ，ＰＷＭＤを高レベルにする。これにより、ＩＧＢＴ３１１，３３１がオフ状態になるとともに、ＩＧＢＴ３２１，３４１がオン状態になる。この場合には、スイッチング部３００は交流信号Ｓac2を生成しない。また、制御回路３９０は、図１６における後半の期間において、ＰＷＭ信号ＰＷＭＡ，ＰＷＭＣを高レベルにするとともに、ＰＷＭ信号ＰＷＭＢ，ＰＷＭＤを低レベルにする。これにより、ＩＧＢＴ３１１，３３１はオン状態になるとともに、ＩＧＢＴ３２１，３４１はオフ状態になる。この場合にも、スイッチング部３００は交流信号Ｓac2を生成しない。このようにして、制御回路３９０は、交流信号Ｓac2の生成を停止させるようになっている。
【０１１６】
また、制御回路３９０は、信号ＳＩに基づいて、ＤＣ−ＡＣインバータ６２の入力電流値Ｉinを取得する機能をも有している。
【０１１７】
図１７は、信号ＳＩに基づいてスイッチング部３００における入力電流値Ｉinを取得する動作を表すものである。電流検出回路３５０は、ＰＷＭ信号ＰＷＭＡ，ＰＷＭＢ，ＰＷＭＣ，ＰＷＭＤに応じた信号ＳＩを生成する。この信号ＳＩは、例えばＰＷＭ信号ＰＷＭＤの周波数の２倍の周波数を有するものである。制御回路３９０は、この信号ＳＩを、例えば、１ｍｓｅｃ以下のサンプリング周期でサンプリングすることにより、Ａ／Ｄ変換を行う。そして、制御回路３９０は、Ａ／Ｄ変換された信号に対して、ＰＷＭ信号ＰＷＭＤの半周期単位でピークホールド動作を行うとともに、ＰＷＭ信号ＰＷＭＤの遷移タイミングでピークホールド値をリセットすることにより、内部信号ＳＩ２を求める。その際、制御回路３９０は、ピークホールド値をリセットする直前に、そのピークホールド値をラッチすることにより、入力電流値Ｉinを取得するようになっている。
【０１１８】
また、制御回路３９０は、信号ＰＷＭＥに基づいて、ＤＣ−ＡＣインバータ６２の入力される信号Ｓdc390の電圧値（入力電圧値Ｖin）を取得する機能をも有している。図８に示したように、スイッチング部３００に供給された信号Ｓdc390は、抵抗素子３６５，３６６により分圧され、信号Ａ１としてＰＷＭ信号生成回路３６８に供給される。ＰＷＭ信号生成回路３６８は、この信号Ａ１の電圧に応じたデューティ比を有するＰＷＭ信号Ｂ１を生成する。そして、回路３７０は、ＰＷＭ信号Ｂ１に基づいてＰＷＭ信号ＰＷＭＥを生成する。制御回路３９０は、このＰＷＭ信号ＰＷＭＥに基づいて、入力電圧値Ｖinを取得するようになっている。
【０１１９】
また、制御回路３９０は、信号ＰＷＭＦに基づいて、ＤＣ−ＡＣインバータ６２が生成する交流信号Ｓac2の実効値（出力電圧値Ｖout）を取得する機能をも有している。図８に示したように、信号Ａ２は、コンデンサ３０２の一端における信号および信号ＰＷＭＤ２に基づいて生成される。
【０１２０】
図１８は、信号Ａ２を生成する動作を表すものである。ＰＷＭ信号ＰＷＭＡ，ＰＷＭＢ，ＰＷＭＣ，ＰＷＭＤに応じて、コンデンサ３０２の一端には、図１８に示したような波形が現れる。このとき、ＰＮＰトランジスタ３０９のコレクタには、図１８に示したような波形が現れる。すなわち、この波形は、交流信号Ｓac2の半周期分の波形に対応するものである。そして、抵抗素子３６３およびコンデンサ３６４が、ＲＣフィルタとして機能し、この波形を平滑化して信号Ａ２を生成する。ＰＷＭ信号生成回路３６８は、この信号Ａ２の電圧に応じたデューティ比を有するＰＷＭ信号Ｂ２を生成する。そして、回路３８０は、ＰＷＭ信号Ｂ２に基づいてＰＷＭ信号ＰＷＭＦを生成する。制御回路３９０は、このＰＷＭ信号ＰＷＭＦに基づいて、出力電圧値Ｖoutを取得するようになっている。
【０１２１】
このようにして、制御回路３９０は、入力電流値Ｉin、入力電圧値Ｖin、および出力電圧値Ｖoutを取得する。そして、制御回路３９０は、後述するように、これらに基づいて、ＤＣ−ＡＣインバータ６２の動作を制御するようになっている。
【０１２２】
ここで、低圧電源部６０は、本発明における「電源装置」の一具体例に対応する。制御回路３９０は、本発明における「制御部」の一具体例に対応する。ＡＣスイッチ４１０，４２０は、本発明における「複数のスイッチ」の一具体例に対応する。ゼロクロス検出回路２００は、本発明における「同期信号生成部」の一具体例に対応する。スイッチング回路３１０は、本発明における「第１のスイッチング回路」の一具体例に対応し、スイッチング回路３２０は、本発明における「第２のスイッチング回路」の一具体例に対応する。交流信号Ｓac2は、本発明における「第１の交流信号」の一具体例に対応する。交流信号Ｓac1は、本発明における「第２の交流信号」の一具体例に対応する。ゼロクロス信号ＳＺは、本発明における「同期信号」の一具体例に対応する。ＰＷＭ信号ＰＷＭＡ，ＰＷＭＢは、本発明における「パルス信号」の一具体例に対応する。
【０１２３】
［動作および作用］
続いて、本実施の形態の画像形成装置１の動作および作用について説明する。
【０１２４】
（全体動作概要）
まず、図１〜３を参照して、画像形成装置１の全体動作概要を説明する。画像形成装置１では、プリンタエンジン制御部５９は、インタフェース部５１を介してホストコンピュータから印刷データを受け取ると、まず、画像処理部５２を制御することにより、印刷データに基づいてビットマップデータを生成させる。そして、プリンタエンジン制御部５９は、低圧電源部６０を制御することにより、定着部４０のヒータ４２Ａ，４２Ｂに電力を供給させる。サーミスタ４４が検出した定着部４０の温度が、定着動作に適した温度に到達すると、プリンタエンジン制御部５９は、印刷動作を開始させる。
【０１２５】
印刷動作では、まず、プリンタエンジン制御部５９は、ホッピングモータ１１Ｔを制御することによりホッピングローラ１１を回転させ、レジストモータ１２Ｔを制御することによりレジストローラ１２を回転させる。これにより、記録媒体９は搬送路１０に沿って搬送される。
【０１２６】
そして、プリンタエンジン制御部５９は、ドラムモータ２０Ｔを制御することにより現像部２０Ｃ，２０Ｍ，２０Ｙ，２０Ｋ内の感光ドラム２１、現像ローラ２４、および供給ローラ２６をそれぞれ回転させ、ベルトモータ３３Ｔを制御することにより駆動ローラ１０６を回転させる。また、プリンタエンジン制御部５９は、媒体センサ１３における検出結果に基づいて、高圧電源部５５を制御することにより各種電圧を生成させる。そして、プリンタエンジン制御部５９は、露光制御部５３の動作を制御することにより露光ヘッド１６Ｃ，１６Ｍ，１６Ｙ，１６Ｋを動作させる。これにより、各現像部２０の感光ドラム２１の表面には、まず、静電潜像が形成され、その後に、その静電潜像に応じてトナー像が形成される。そして、各現像部２０の感光ドラム２１のトナー像は、記録媒体９の被転写面に転写される。
【０１２７】
そして、プリンタエンジン制御部５９は、ヒータモータ４０Ｔを制御することによりヒートローラ４１および加圧ローラ４３を回転させる。これにより、定着部４０では、記録媒体９上のトナーが、加熱され、融解し、加圧される。その結果、トナー像が記録媒体９上に定着する。
【０１２８】
（低圧電源部６０の詳細動作）
図５〜７に示したように、商用電源９９から供給された交流信号Ｓac1は、ヒューズ９１およびコモンモードコイル９２を介して、力率改善回路１００およびゼロクロス検出回路２００に供給される。
【０１２９】
力率改善回路１００（図５）では、ブリッジダイオード１０１は、コモンモードコイル９２の出力信号に対して全波整流を行う。制御回路１４０は、スイッチング回路１１０に対してゲートドライブ信号ＧＤ１を供給するとともに、スイッチング回路１２０に対してゲートドライブ信号ＧＤ２を供給することにより、スイッチング回路１１０，１２０におけるスイッチング動作を制御する。スイッチング回路１１０，１２０は、ブリッジダイオード１０１により整流された信号に対してスイッチング動作を行う。
【０１３０】
また、ダイオード１３１，１３２は、コモンモードコイル９２の出力信号に対して全波整流を行う。この全波整流された信号は、抵抗素子１３６，１３７により分圧され、信号ＡＣＩＮとして制御回路１４０に供給される。制御回路１４０は、この信号ＡＣＩＮに基づいて、力率が１付近になるように、スイッチング回路１１０，１２０におけるスイッチング動作を制御する。
【０１３１】
これにより、スイッチング回路１１０のインダクタ１１１の他端、およびスイッチング回路１２０のインダクタ１２１の他端に、昇圧された信号がそれぞれ生じる。ダイオード１０２，１０３および電解コンデンサ１０４は、これらの信号を平滑化することにより信号Ｓdc390を生成する。この信号Ｓdc390は、抵抗素子１０７，１０８により分圧され、信号ＦＢとして制御回路１４０に供給される。制御回路１４０は、信号ＦＢに基づいて、ゲートドライブ信号ＧＤ１，ＧＤ２のスイッチングデューティ比を変化させ、信号Ｓdc390の電圧が所望の電圧（例えば３９０Ｖ）になるように制御する。このようにして、力率改善回路１００は、信号Ｓdc390を生成する。
【０１３２】
ゼロクロス検出回路２００（図７）では、ブリッジダイオード２０４は、抵抗素子２０２の他端とコンデンサ２０３の他端との間の信号に対して全波整流を行う。ゼロクロス検出回路２００は、ブリッジダイオード２０４により整流された信号に基づいて、交流信号Ｓac1のゼロクロスタイミングごとに発生するパルスを有するゼロクロス信号ＳＺを生成する。
【０１３３】
ＤＣ−ＡＣインバータ６２（図８）では、制御回路３９０は、スイッチング回路３１０，３２０，３３０，３４０に対してＰＷＭ信号ＰＷＭＡ，ＰＷＭＢ，ＰＷＭＣ，ＰＷＭＤをそれぞれ供給することにより、スイッチング部３００におけるスイッチング動作を制御する。その際、制御回路３９０は、デューティ比テーブル３９１Ａ，３９１Ｂから、カウンタ３９２の値に対応するスイッチングサイクルにおけるスイッチングデューティ比を読み出し、そのスイッチングデューティ比に基づいてＰＷＭ信号ＰＷＭＡ，ＰＷＭＢ，ＰＷＭＣ，ＰＷＭＤを生成する。スイッチング部３００は、信号Ｓdc390に対してスイッチング動作を行う。インダクタ３０１およびコンデンサ３０２は、ＬＣフィルタとして機能し、入力された信号から、スイッチング動作に起因する高周波成分を除去することにより交流信号Ｓac2を生成する。
【０１３４】
制御回路３９０は、ヒータ制御信号ＨＡ，ＨＢに基づいて、ヒータ４２Ａ，４２Ｂへの電力の供給を制御する。具体的には、制御回路３９０は、ヒータ制御信号ＨＡがイネーブルである場合には、スイッチ制御信号ＳＷＡをイネーブルにする。これにより、スイッチング部３００が生成した交流信号Ｓac2が、ＡＣスイッチ４１０を介してヒータ４２Ａに供給される。同様に、制御回路３９０は、ヒータ制御信号ＨＢがイネーブルである場合には、スイッチ制御信号ＳＷＢをイネーブルにする。これにより、スイッチング部３００が生成した交流信号Ｓac2が、ＡＣスイッチ４２０を介してヒータ４２Ｂに供給される。
【０１３５】
（イニシャル動作について）
ＤＣ−ＡＣインバータ６２は、ヒータ４２Ａ，４２Ｂへの電力供給に先立ち、正常に動作するかどうかを確認するためのイニシャル動作を行う。以下に、イニシャル動作について詳細に説明する。
【０１３６】
図１９は、イニシャル動作の一例を表すものである。ＤＣ−ＡＣインバータ６２は、このイニシャル動作において、ＡＣスイッチ４１０，４２０をオフ状態に維持したまま、交流信号Ｓac2の振幅を最大に設定し、交流信号Ｓac2の振幅が所望の振幅であることを確認した後に、レディ信号ＲＤＹをイネーブルにする。以下に、その詳細を説明する。
【０１３７】
まず、ＤＣ−ＡＣインバータ６２の制御回路３９０は、レディ信号ＲＤＹをディセーブルにする（ステップＳ１）。なお、以下のフローにおいて所定の時間にわたりレディ信号ＲＤＹがディセーブルを維持した場合には、プリンタエンジン制御部５９は、表示部５４にエラーを表示させる。
【０１３８】
次に、制御回路３９０は、ゼロクロス信号ＳＺを検出することにより、ゼロクロス信号ＳＺが供給されているかどうかを確認する（ステップＳ２）。ゼロクロス信号ＳＺを検出できない場合（ステップＳ２において“Ｎ”）には、ステップＳ２に戻り、ゼロクロス信号ＳＺが検出できるまで繰り返す。この繰り返し動作により、所定の時間にわたりレディ信号ＲＤＹがディセーブルを維持した場合には、プリンタエンジン制御部５９は、表示部５４にエラーを表示させる。
【０１３９】
ステップＳ２においてゼロクロス信号ＳＺを検出できた場合（ステップＳ２において“Ｙ”）には、制御回路３９０は、ゼロクロス信号ＳＺに基づいて、交流信号Ｓac1の周波数を確認する（ステップＳ３）。そして、交流信号Ｓac1の周波数が５０Ｈｚである場合（ステップＳ３において“Ｙ”）には、制御回路３９０は、デューティ比テーブル３９１Ａを選択する（ステップＳ４）。また、交流信号Ｓac1の周波数が５０Ｈｚでない場合（ステップＳ３において“Ｎ”）には、制御回路３９０は、デューティ比テーブル３９１Ｂを選択する（ステップＳ５）。すなわち、この場合は、交流信号Ｓac1の周波数は６０Ｈｚであるので、制御回路３９０は、デューティ比テーブル３９１Ｂを選択する。
【０１４０】
次に、制御回路３９０は、入力電圧値Ｖinが所定のしきい値Ｖth1より大きい（Ｖin＞Ｖth1）か否かを確認する（ステップＳ６）。しきい値Ｖth1は、例えば３７０Ｖにすることができる。入力電圧値Ｖinが所定のしきい値Ｖth1以下である場合（ステップＳ６において“Ｎ”）には、ステップＳ６に戻り、入力電圧値Ｖinが所定のしきい値Ｖth1より大きくなるまで繰り返す。この繰り返し動作により、所定の時間にわたりレディ信号ＲＤＹがディセーブルを維持した場合には、プリンタエンジン制御部５９は、表示部５４にエラーを表示させる。
【０１４１】
ステップＳ６において入力電圧値Ｖinが所定のしきい値Ｖth1より大きいことを検出した場合（ステップＳ６において“Ｙ”）には、制御回路３９０は、図１６に示したように、スイッチング部３００を待機モードで動作させる（ステップＳ７）。
【０１４２】
次に、制御回路３９０は、交流信号Ｓac2の振幅を最大に設定する（ステップＳ８）。具体的には、制御回路３９０は、ステップＳ４においてデューティ比テーブル３９１Ａを選択した場合には、デューティ比テーブル３９１Ａに含まれる１３個のテーブル３９１Ａ１〜３９１Ａ１３のうちのテーブル３９１Ａ１３を選択し、このテーブル３９１Ａ１３に基づいてＰＷＭ信号ＰＷＭＡ，ＰＷＭＢを生成する。また、制御回路３９０は、ステップＳ５においてデューティ比テーブル３９１Ｂを選択した場合には、デューティ比テーブル３９１Ｂに含まれる１３個のテーブル３９１Ｂ１〜３９１Ｂ１３のうちのテーブル３９１Ｂ１３を選択し、このテーブル３９１Ｂ１３に基づいてＰＷＭ信号ＰＷＭＡ，ＰＷＭＢを生成する。これにより、交流信号Ｓac2の振幅は、信号Ｓdc390の電圧（この例では３９０Ｖ）の９０％（３５１Ｖｐ）程度になる。このとき、交流信号Ｓac2の実効値は２４９Ｖrms程度である。
【０１４３】
次に、制御回路３９０は、出力電圧値Ｖoutが所定のしきい値Ｖth2より大きい（Ｖout＞Ｖth2）か否かを確認する（ステップＳ９）。しきい値Ｖth2は、例えば、信号Ｓdc390がしきい値Ｖth1である場合における交流信号Ｓac2の実効値にすることができる。具体的には、しきい値Ｖth2は、２３０Ｖrmsにすることができる。
【０１４４】
ステップＳ９において、出力電圧値Ｖoutが所定のしきい値Ｖth2より大きい場合（ステップＳ９において“Ｙ”）には、制御回路３９０は、図１６に示したように、スイッチング部３００を待機モードで動作させる（ステップＳ１０）。そして、制御回路３９０は、レディ信号ＲＤＹをイネーブルにする（ステップＳ１１）。
【０１４５】
ステップＳ９において、出力電圧値Ｖoutが所定のしきい値Ｖth2以下である場合（ステップＳ９において“Ｎ”）には、制御回路３９０は、スイッチング部３００の動作を停止させる（ステップＳ１２）。具体的には、制御回路３９０は、例えば、ＰＷＭ信号ＰＷＭＡ，ＰＷＭＢ，ＰＷＭＣ，ＰＷＭＤの全てを低レベルにすることにより、スイッチング部３００の動作を停止させる。その後、所定の時間にわたりレディ信号ＲＤＹがディセーブルを維持することにより、プリンタエンジン制御部５９は、表示部５４にエラーを表示させる。
【０１４６】
以上でこのフローは終了する。
【０１４７】
このようにして、ＤＣ−ＡＣインバータ６２は、イニシャル動作を行い、ＤＣ−ＡＣインバータ６２が正常に動作できることを確認し、レディ信号ＲＤＹをイネーブルにする。その後、ＤＣ−ＡＣインバータ６２は、ヒータ制御信号ＨＡ，ＨＢに基づいて、ヒータ４２Ａ，４２Ｂへの電力供給を行う。
【０１４８】
（スローアップ制御について）
図２０は、ＤＣ−ＡＣインバータ６２の一動作例を表すものである。この例では、レディ信号ＲＤＹはローイネーブルの信号であり、ヒータ制御信号ＨＡ，ＨＢはハイイネーブルの信号である。
【０１４９】
制御回路３９０が、タイミングｔ１において、レディ信号ＲＤＹを高レベルから低レベル（イネーブル）に変化させた後、プリンタエンジン制御部５９は、タイミングｔ２において、ヒータ制御信号ＨＡを低レベルから高レベル（イネーブル）に変化させる。なお、図示していないが、ヒータ制御信号ＨＢは低レベルを維持する。制御回路３９０は、このヒータ制御信号ＨＡに基づいて、このタイミングｔ２において、スイッチ制御信号ＳＷＡを低レベルから高レベルに変化させる。制御回路３９０は、ＰＷＭ信号ＰＷＭＤの遷移タイミングでヒータ制御信号ＨＡをサンプリングすることにより、内部信号ＨＡ２を生成するとともに、ＰＷＭ信号ＰＷＭＤの遷移タイミングでヒータ制御信号ＨＢをサンプリングすることにより、内部信号ＨＢ２を生成する。この例では、内部信号ＨＡ２は、タイミングｔ３において低レベルから高レベルに変化する。制御回路３９０は、この内部信号ＨＡ２に基づいて、例えばデューティ比テーブル３９１Ａを利用してＰＷＭ信号ＰＷＭＡ，ＰＷＭＢを生成する。これにより、スイッチング部３００は、交流信号Ｓac2を生成し始める。このとき、制御回路３９０は、いわゆるスローアップ制御を行う。すなわち、ヒータ４２Ａ，４２Ｂに対して、冷えた状態で通電を開始すると、ヒータ４２Ａ，４２Ｂの抵抗値が低いため、突入電流が大きくなってしまう。そこで、制御回路３９０は、まず最初は、電力供給量を低く設定し、ヒータ４２Ａ，４２Ｂが温まり電流が下がってきたら、ヒータ４２Ａ，４２Ｂへの電力供給量を増やす。このようにして、制御回路３９０は、ヒータ４２Ａ，４２Ｂへの電力供給量を徐々に増やす。このようなスローアップ制御により、交流信号Ｓac2の振幅は徐々に大きくなる。ＡＣスイッチ４１０は、交流信号Ｓac2のゼロクロスタイミングで導通する。これにより、ヒータ４２Ａには、交流信号Ｓac2Aが供給される。
【０１５０】
その後、プリンタエンジン制御部５９は、タイミングｔ４において、ヒータ制御信号ＨＡを高レベルから低レベル（ディセーブル）に変化させる。制御回路３９０は、このヒータ制御信号ＨＡに基づいて、このタイミングｔ４において、スイッチ制御信号ＳＷＡを高レベルから低レベルに変化させる。これに応じて、内部信号ＨＡ２は、タイミングｔ５において高レベルから低レベルに変化する。制御回路３９０は、この内部信号ＨＡ２に基づいて、スイッチング部３００を待機モードで動作させる。これにより、スイッチング部３００は、交流信号Ｓac2の生成を停止する。
【０１５１】
このように、制御回路３９０は、ヒータ制御信号ＨＡ，ＨＢに基づいて、ＤＣ−ＡＣインバータ６２の動作を制御する。その際、制御回路３９０は、以下に説明するように、ヒータ制御信号ＨＡ，ＨＢの変化に応じて、スローアップ制御を行うか否かを判断する。
【０１５２】
図２１は、ヒータ制御信号ＨＡ，ＨＢの各変化における制御回路３９０の動作を表すものである。ここで、“Ｌ”は低レベルを示し、“Ｈ”は高レベルを示す。また、“停止”は、交流信号Ｓac2の生成を停止させる制御を示し、“維持”は、交流信号Ｓac2を生成し続ける制御を示す。
【０１５３】
制御回路３９０は、ヒータ制御信号ＨＡ，ＨＢのうちの少なくとも一方において、前回値が低レベルであり現在値が高レベルである場合には、スローアップ制御を行う。すなわち、この場合には、ヒータ４２Ａ，４２Ｂのうちの少なくとも一方に対して電力供給を開始する。よって、制御回路３０は、突入電流を抑えるため、スローアップ制御を行う。
【０１５４】
また、制御回路３９０は、ヒータ制御信号ＨＡ，ＨＢのうちの少なくとも一方において、前回値および現在値がともに高レベルである場合には、交流信号Ｓac2を生成し続ける制御を行う。
【０１５５】
また、制御回路３９０は、ヒータ制御信号ＨＡ，ＨＢの現在値がともに低レベルである場合には、交流信号Ｓac2の生成を停止させる制御を行う。具体的には、制御回路３９０は、図１６に示したように、スイッチング部３００を待機モードで動作させる。
【０１５６】
図２２は、ヒータ制御信号ＨＡ，ＨＢに基づく制御回路３９０の動作を表すものである。
【０１５７】
まず、制御回路３９０は、ヒータ制御信号ＨＡ，ＨＢに基づいて、図２１に示したように、制御回路３９０がすべき動作を決定する。制御回路３９０は、交流信号Ｓac2の生成を停止させる制御を行うべきである場合（ステップＳ２１において“Ｙ”）には、制御回路３９０は、図１６に示したように、スイッチング部３００を待機モードで動作させ（ステップＳ２２）、ステップＳ２１に戻る。それ以外の場合（ステップＳ２１において“Ｎ”）において、制御回路３９０は、スローアップ制御をすべきである場合（ステップＳ２３において“Ｙ”）には、ステップＳ２４に進む。それ以外の場合（ステップＳ２３において“Ｎ”）には、ステップＳ２１に戻る。すなわち、これは、交流信号Ｓac2を生成し続ける制御をすべきである場合を示す。
【０１５８】
次に、制御回路３９０は、交流信号Ｓac2の振幅を最小に設定する（ステップＳ２４）。具体的には、制御回路３９０は、イニシャル動作（図１９）のステップＳ４においてデューティ比テーブル３９１Ａを選択した場合には、デューティ比テーブル３９１Ａに含まれる１３個のテーブル３９１Ａ１〜３９１Ａ１３のうちのテーブル３９１Ａ１を選択し、このテーブル３９１Ａ１に基づいてＰＷＭ信号ＰＷＭＡ，ＰＷＭＢを生成する。また、制御回路３９０は、イニシャル動作（図１９）のステップＳ５においてデューティ比テーブル３９１Ｂを選択した場合には、デューティ比テーブル３９１Ｂに含まれる１３個のテーブル３９１Ｂ１〜３９１Ｂ１３のうちのテーブル３９１Ｂ１を選択し、このテーブル３９１Ｂ１に基づいてＰＷＭ信号ＰＷＭＡ，ＰＷＭＢを生成する。これにより、交流信号Ｓac2の振幅は、信号Ｓdc390の電圧（この例では３９０Ｖ）の３０％（１１７Ｖｐ）程度になる。このとき、交流信号Ｓac2の実効値は８３Ｖrms程度である。
【０１５９】
次に、制御回路３９０は、入力電流値Ｉinが所定のしきい値Ｉthより大きい（Ｉin＞Ｉth）か否かを確認する（ステップＳ２５）。
【０１６０】
ステップＳ２５において、入力電流値Ｉinが所定のしきい値Ｉthより大きい場合（ステップＳ２５において“Ｙ”）には、制御回路３９０は、ＤＣ−ＡＣインバータ６２が、異常な状態であると判断する。そして、制御回路３９０は、スイッチング部３００の動作を停止させる（ステップＳ３１）。具体的には、制御回路３９０は、例えば、ＰＷＭ信号ＰＷＭＡ，ＰＷＭＢ，ＰＷＭＣ，ＰＷＭＤの全てを低レベルにすることにより、スイッチング部３００の動作を停止させる。また、制御回路３９０は、スイッチ制御信号ＳＷＡ，ＳＷＢを低レベルにする。そして、制御回路３９０は、レディ信号ＲＤＹをディセーブルにする（ステップＳ３２）。
【０１６１】
ステップＳ２５において、入力電流値Ｉinが所定のしきい値Ｉth以下である場合（ステップＳ２５において“Ｎ”）には、制御回路３９０は、所定時間が経過した後（ステップＳ２６）、出力電圧値Ｖoutが目標電圧値Ｖtargetよりも大きい（Ｖout＞Ｖtarget）か否かを確認する（ステップＳ２７）。この目標電圧値Ｖtargetは、ヒータ４２Ａ，４２Ｂに電力を供給する際の交流信号Ｓac2の出力電圧値Ｖoutの目標値であり、制御回路３９０に予め設定されているものである。出力電圧値Ｖoutが目標電圧値Ｖtargetよりも大きい場合（ステップＳ２７において“Ｙ”）には、ステップＳ２１に戻る。すなわち、この場合には、出力電圧値Ｖoutが目標電圧値Ｖtargetに達したので、制御回路３９０は、スローアップ制御を終了する。
【０１６２】
ステップＳ２７において、出力電圧値Ｖoutが目標電圧値Ｖtarget以下である場合（ステップＳ２７において“Ｎ”）には、制御回路３９０は、交流信号Ｓac2の振幅を一段階増加させる（ステップＳ２８）。具体的には、制御回路３９０は、テーブル３９１Ａ１を選択している場合には、これに代えてテーブル３９１Ａ２を選択し、テーブル３９１Ａ２を選択している場合には、これに代えてテーブル３９１Ａ３を選択する。その他のテーブルについても同様である。これにより、交流信号Ｓac2の振幅は、５％分だけ増加する。
【０１６３】
そして、制御回路３９０は、所定時間（例えば６０ｍｓｅｃ）が経過した後（ステップＳ２９）、入力電流値Ｉinが所定のしきい値Ｉthより大きい（Ｉin＞Ｉth）か否かを確認する（ステップＳ３０）。入力電流値Ｉinが所定のしきい値Ｉthより大きい場合（ステップＳ３０において“Ｙ”）には、ステップＳ２９に戻り、入力電流値Ｉinが所定のしきい値Ｉth以下になるまでステップＳ２９，Ｓ３０を繰り返す。すなわち、電力供給量を変更した直後では、ヒータ４２Ａ，４２Ｂは、まだ十分に熱くなっていないため抵抗値が低く、突入電流が大きい。よって、制御回路３９０は、ヒータ４２Ａ，４２Ｂが十分に熱くなり、電流が下がるまで待つように動作する。
【０１６４】
ステップＳ３０において、入力電流値Ｉinが所定のしきい値Ｉth以下である場合（ステップＳ３０において“Ｎ”）には、ステップＳ２７に戻る。そして、出力電圧値Ｖoutが目標電圧値Ｖtargetに達するまで、このステップＳ２７〜Ｓ３０を繰り返す。
【０１６５】
図２３は、スローアップ制御を表すものである。この例では、交流信号Ｓac2の振幅設定を、信号Ｓdc390の電圧の３０％から７５％（目標電圧値Ｖtarget）へ徐々に変化させている。その際、制御回路３９０は、６０ｍｓｅｃ周期で入力電流値Ｉinと所定のしきい値Ｉthとを比較することにより、交流信号Ｓac2の振幅を徐々に大きくする。
【０１６６】
この例では、３００ｍｓｅｃまでは、制御回路３９０は、交流信号Ｓac2の振幅を一段階ずつ増加させる。すなわち、この例では、３００ｍｓｅｃまで、入力電流値Ｉinが所定のしきい値Ｉth以下であるため、制御回路３９０は、交流信号Ｓac2の振幅を一段階ずつ増加させる。そして、３６０ｍｓｅｃでは、この例では、入力電流値Ｉinが所定のしきい値Ｉthより大きいため、制御回路３９０は、交流信号Ｓac2の振幅を維持する。そして、次の４２０ｍｓｅｃでは、この例では、入力電流値Ｉinが所定のしきい値Ｉth以下であるので、制御回路３９０は、交流信号Ｓac2の振幅を一段階増加させる。言い換えれば、制御回路３９０は、入力電流値Ｉinに基づいて、交流信号Ｓac2の振幅の増加度合いを変化させる。このようにして、制御回路３９０は、交流信号Ｓac2の振幅を徐々に増やす。そして、この例では、７８０ｍｓｅｃにおいて、制御回路３９０は、交流信号Ｓac2の振幅を、信号Ｓdc390の電圧の７５％（目標電圧値Ｖtarget）に設定する。
【０１６７】
図２４は、交流信号Ｓac2の波形、および電流検出回路３５０の出力信号ＳＩの波形の一例を表すものである。このように、ＤＣ−ＡＣインバータ６２は、交流信号Ｓac2の振幅を徐々に増加させる。
【０１６８】
このように、ＤＣ−ＡＣインバータ６２では、ヒータ４２Ａ，４２Ｂへの電力供給量を徐々に増やす。その際、制御回路３９０は、入力電流値Ｉinをモニタし、この入力電流値Ｉinが所定のしきい値Ｉthを超えないようにしつつ、交流信号Ｓac2の振幅を徐々に大きくする。これにより、ＤＣ−ＡＣインバータ６２では、突入電流を抑えることができ、その結果、伝導ノイズやフリッカが生じるおそれを低減することができる。
【０１６９】
また、ＤＣ−ＡＣインバータ６２では、出力電圧値Ｖoutを検出し、その出力電圧値Ｖoutが目標電圧値Ｖtargetに到達するように、交流信号Ｓac2の振幅を制御したので、例えば、ＩＧＢＴ３１１，３２１，３４１，３４２における電力損失や、力率改善回路１００の負荷変動によらず、所望の電力をヒータ４２Ａ，４２Ｂに供給することができる。
【０１７０】
また、低圧電源部６０では、信号Ｓdc390に対してスイッチング動作を行うことにより交流信号Ｓac2を生成するようにしたので、商用電源の電源電圧ごとに、定着部を用意しなくて済む。すなわち、例えば、商用電源９９から供給された交流信号Ｓac1を、位相制御を行いながらヒータへ直接供給するように構成した場合には、商用電源の電源電圧ごとに、定着部を用意する必要がある。一方、低圧電源部６０では、信号Ｓdc390に対してスイッチング動作を行うことにより交流信号Ｓac2を生成したので、商用電源９９の電源電圧によらず、定着部を共用することができる。
【０１７１】
［効果］
以上のように本実施の形態では、交流信号Ｓac2の振幅を徐々に増加させるようにしたので、突入電流を抑えることができ、その結果、伝導ノイズやフリッカが生じるおそれを低減することができる。
【０１７２】
また、本実施の形態では、信号Ｓdc390に対してスイッチング動作を行うことにより交流信号Ｓac2を生成するようにしたので、商用電源の電源電圧ごとに、定着部を用意しなくて済み、定着部を共用することができる。
【０１７３】
［変形例１］
上記実施の形態では、図４に示したように、ＤＣ−ＤＣコンバータ６１が、力率改善回路１００の出力信号Ｓdc390に基づいて、信号Ｓdc24，Ｓdc5を生成したが、これに限定されるものではない。例えば、ＤＣ−ＤＣコンバータ６１は、スイッチング部３００の（図８）の電流検出回路３５０の第１の巻線を通過した後の信号Ｓdc390を受け取り、この信号Ｓdc390に基づいて信号Ｓdc24，Ｓdc5を生成してもよい。また、例えば、図２５に示す低圧電源部６０Ａのように、ＡＣ−ＤＣコンバータ６１Ａが、交流信号Ｓac1に基づいて、信号Ｓdc24，Ｓdc5を生成してもよい。
【０１７４】
［変形例２］
上記実施の形態では、プリンタエンジン制御部５９は、ＤＣ−ＡＣインバータ６２の制御回路３９０に対してヒータ制御信号ＨＡ，ＨＢを供給し、制御回路３９０は、プリンタエンジン制御部５９に対してレディ信号ＲＤＹを供給したが、これに限定されるものではない。以下に、本変形例について詳細に説明する。
【０１７５】
図２６は、本変形例に係る制御回路３９０Ｃおよびプリンタエンジン制御部５９Ｃの一構成例を表すものである。この例では、プリンタエンジン制御部５９Ｃは、制御回路３９０Ｃに対して、さらにクロック信号ＳＣＫおよびデータ信号ＴＸＤを供給し、制御回路３９０Ｃは、プリンタエンジン制御部５９Ｃに対して、さらにデータ信号ＲＸＤを供給する。具体的には、プリンタエンジン制御部５９Ｃは、１バイトのリードコマンドを、データ信号ＴＸＤを用いて制御回路３９０Ｃに供給し、制御回路３９０Ｃは、１バイトのデータを、データ信号ＲＸＤを用いてプリンタエンジン制御部５９Ｃに供給する。また、プリンタエンジン制御部５９Ｃは、１バイトのライトコマンドおよび１バイトのデータを、データ信号ＴＸＤを用いて制御回路３９０Ｃに供給する。
【０１７６】
図２７は、リードコマンドの一例を表すものである。リードコマンドには、例えば、ステータスコマンド、入力電圧コマンド、入力電流コマンド、出力電圧コマンドが含まれる。
【０１７７】
ステータスコマンドは、ＤＣ−ＡＣインバータ６２のステータスを取得するためのコマンドである。ＤＣ−ＡＣインバータ６２のステータスは、例えば、図１９に示したイニシャル動作や、図１６に示した待機モードを含むものである。また、以下に示すオフモードを含んでもよい。
【０１７８】
図２８は、待機モードおよびオフモードにおけるＰＷＭ信号ＰＷＭＡ，ＰＷＭＢ，ＰＷＭＣ，ＰＷＭＤの波形の一例を表すものである。待機モードにおける波形は、図１６と同様である。一方、オフモードでは、ＰＷＭ信号ＰＷＭＡ，ＰＷＭＢ，ＰＷＭＣ，ＰＷＭＤが遷移しない。この例では、ＰＷＭ信号ＰＷＭＡ，ＰＷＭＣを低レベルにするとともに、ＰＷＭ信号ＰＷＭＢ，ＰＷＭＤを高レベルにしている。この場合には、スイッチング部３００は交流信号Ｓac2を生成しない。なお、これに限定されるものではなく、例えば、ＰＷＭ信号ＰＷＭＡ，ＰＷＭＣを高レベルにするとともに、ＰＷＭ信号ＰＷＭＢ，ＰＷＭＤを低レベルにしてもよいし、ＰＷＭ信号ＰＷＭＡ，ＰＷＭＢ，ＰＷＭＣ，ＰＷＭＤの全てを低レベルにしてもよい。このオフモードでは、待機モードに比べて、さらに消費電力を低減することができる。
【０１７９】
入力電圧コマンドは、ＤＣ−ＡＣインバータ６２の入力される信号Ｓdc390の電圧値（入力電圧値Ｖin）の移動平均値を取得するためのコマンドである。入力電流コマンドは、ＤＣ−ＡＣインバータ６２の入力電流値Ｉinの移動平均値を取得するためのコマンドである。出力電圧コマンドは、ＤＣ−ＡＣインバータ６２が生成する交流信号Ｓac2の実効値（出力電圧値Ｖout）の移動平均値を取得するためのコマンドである。
【０１８０】
図２９は、ライトコマンドの一例を表すものである。ライトコマンドには、例えば、電流リミットコマンド、目標電圧コマンド、開始電圧コマンド、制御周期コマンド、出力待機コマンド、出力オフコマンドが含まれる。電流リミットコマンドは、しきい値Ｉthを設定するためのコマンドである。目標電圧コマンドは、目標電圧値Ｖtargetを設定するためのコマンドである。開始電圧コマンドは、スローアップ制御における開始電圧（ステップＳ２４での振幅）を設定するためのコマンドである。制御周期コマンドは、スローアップ制御における制御周期（ステップＳ２９での所定時間）を設定するためのコマンドである。出力待機コマンドは、ＤＣ−ＡＣインバータ６２を待機モードで動作させるためのコマンドであり、出力オフコマンドは、ＤＣ−ＡＣインバータ６２をオフモードで動作させるためのコマンドである。
【０１８１】
［変形例３］
上記実施の形態では、制御回路３９０は、ＰＷＭ信号ＰＷＭＤの遷移タイミングでヒータ制御信号ＨＡ，ＨＢをサンプリングすることにより、内部信号ＨＡ２，ＨＢ２を生成したが、これに限定されるものではない。以下に、本変形例について詳細に説明する。
【０１８２】
図３０は、本変形例に係るＤＣ−ＡＣインバータ６２Ｄの一動作例を表すものである。この図３０は、上記実施の形態に係る図２０に対応するものである。本変形例に係る制御回路３９０Ｄは、ヒータ制御信号ＨＡ，ＨＢが低レベルから高レベルに変化する際は、その直後のＰＷＭ信号ＰＷＭＤの遷移タイミングで内部信号ＨＡ２，ＨＢ２を低レベルから高レベルに変化させる。また、制御回路３９０Ｄは、ヒータ制御信号ＨＡ，ＨＢが高レベルから低レベルに変化する際は、その直後のＰＷＭ信号ＰＷＭＤの遷移タイミングから、ＰＷＭ信号ＰＷＭＤの２周期分だけ経過したタイミングで、内部信号ＨＡ２，ＨＢ２を高レベルから低レベルに変化させる。そして、制御回路３９０Ｄは、この内部信号ＨＡ２，ＨＢ２に基づいて、例えばデューティ比テーブル３９１Ａを利用してＰＷＭ信号ＰＷＭＡ，ＰＷＭＢを生成する。これにより、スイッチング部３００は、交流信号Ｓac2を生成する。
【０１８３】
図３１は、ＤＣ−ＡＣインバータ６２Ｄの他の動作例を表すものである。プリンタエンジン制御部５９は、タイミングｔ２１において、ヒータ制御信号ＨＡ，ＨＢを低レベルから高レベル（イネーブル）に変化させる。制御回路３９０Ｄは、このタイミングｔ２１において、ヒータ制御信号ＨＡに基づいてスイッチ制御信号ＳＷＡを低レベルから高レベルに変化させ、ヒータ制御信号ＨＢに基づいてスイッチ制御信号ＳＷＢを低レベルから高レベルに変化させる。また、制御回路３９０Ｄは、タイミングｔ２２において、内部信号ＨＡ２を低レベルから高レベルに変化させるとともに、内部信号ＨＢ２を低レベルから高レベルに変化させる。制御回路３９０Ｄは、この内部信号ＨＡ２，ＨＢ２に基づいて、例えばデューティ比テーブル３９１Ａを利用してＰＷＭ信号ＰＷＭＡ，ＰＷＭＢを生成する。これにより、スイッチング部３００は、スローアップ制御を行うことにより、交流信号Ｓac2を生成し始める。
【０１８４】
その後、タイミングｔ２３において、プリンタエンジン制御部５９は、ヒータ制御信号ＨＡを高レベルから低レベル（ディセーブル）に変化させ、それに応じて、制御回路３９０Ｄは、スイッチ制御信号ＳＷＡを高レベルから低レベルに変化させる。そして、タイミングｔ２４において、プリンタエンジン制御部５９は、ヒータ制御信号ＨＡを低レベルから高レベル（イネーブル）に変化させ、それに応じて、制御回路３９０Ｄは、スイッチ制御信号ＳＷＡを低レベルから高レベルに変化させる。これにより、ＤＣ−ＡＣインバータ６２Ｄは、一時的に、交流信号Ｓac2Aの出力を停止する。なお、この期間には、内部信号ＨＡ２，ＨＢ２はともに高レベルであるので、スイッチング部３００は、交流信号Ｓac2を生成し続ける。
【０１８５】
そして、タイミングｔ２５において、プリンタエンジン制御部５９は、ヒータ制御信号ＨＢを高レベルから低レベル（ディセーブル）に変化させ、それに応じて、制御回路３９０Ｄは、スイッチ制御信号ＳＷＢを高レベルから低レベルに変化させる。これにより、ＤＣ−ＡＣインバータ６２Ｄは、交流信号Ｓac2Bの出力を停止する。その後、制御回路３９０Ｄは、タイミングｔ２７において、内部信号ＨＢ２を高レベルから低レベルに変化させる。このとき、内部信号ＨＡ２は高レベルであるので、スイッチング部３００は、交流信号Ｓac2を生成し続ける。
【０１８６】
タイミングｔ２６において、プリンタエンジン制御部５９は、ヒータ制御信号ＨＡを高レベルから低レベル（ディセーブル）に変化させ、それに応じて、制御回路３９０Ｄは、スイッチ制御信号ＳＷＡを高レベルから低レベルに変化させる。そして、タイミングｔ２８において、プリンタエンジン制御部５９は、ヒータ制御信号ＨＡを低レベルから高レベル（イネーブル）に変化させ、それに応じて、制御回路３９０Ｄは、スイッチ制御信号ＳＷＡを低レベルから高レベルに変化させる。これにより、ＤＣ−ＡＣインバータ６２Ｄは、一時的に、交流信号Ｓac2Aの出力を停止する。なお、この期間には、内部信号ＨＡ２が高レベルであるので、スイッチング部３００は、交流信号Ｓac2を生成し続ける。
【０１８７】
そして、タイミングｔ２９において、プリンタエンジン制御部５９は、ヒータ制御信号ＨＡを高レベルから低レベル（ディセーブル）に変化させ、それに応じて、制御回路３９０Ｄは、スイッチ制御信号ＳＷＡを高レベルから低レベルに変化させる。これにより、ＤＣ−ＡＣインバータ６２Ｄは、交流信号Ｓac2Aの出力を停止する。このとき、内部信号ＨＡ２は高レベルであるので、スイッチング部３００は、交流信号Ｓac2を生成し続ける。その後、制御回路３９０Ｄは、タイミングｔ３０において、内部信号ＨＡ２を高レベルから低レベルに変化させる。これにより、スイッチング部３００は、交流信号Ｓac2の生成を停止する。
【０１８８】
このように、ＤＣ−ＡＣインバータ６２Ｄでは、ヒータ制御信号ＨＡ，ＨＢが低レベルに変化しても、内部信号ＨＡ２，ＨＢ２をすぐに低レベルに変化しないようにしたので、例えば、タイミングｔ２４などにおいて、スローアップ制御を行わないようにすることができる。すなわち、ヒータ４２Ａ，４２Ｂへの電力供給を停止した直後は、ヒータ４２Ａ，４２Ｂは熱いままであるので、ヒータ４２Ａ，４２Ｂへの電力供給を再開しても、突入電流は大きくなりにくい。そこで、ＤＣ−ＡＣインバータ６２Ｄでは、このような場合には、スローアップ制御を行わないようにしている。
【０１８９】
以上、実施の形態および変形例を挙げて本発明を説明したが、本発明はこれらの実施の形態等には限定されず、種々の変形が可能である。
【０１９０】
例えば、上記実施の形態等では、本発明をカラープリンタに適用したが、これに限定されるものではなく、これに代えて、例えば、モノクロプリンタに適用してもよい。
【０１９１】
また、例えば、上記実施の形態等では、本発明をプリンタに適用したが、これに限定されるものではなく、これに代えて、例えば、本発明を、プリンタ、ＦＡＸ、スキャナなどの機能を有する多機能周辺装置（Multi Function Peripheral）に適用してよい。
【符号の説明】
【０１９２】
１…画像形成装置、８…給紙カセット、１０…搬送路、１１…ホッピングローラ、１１Ｔ…ホッピングモータ、１２…レジストローラ、１２Ｔ…レジストモータ、１３…媒体センサ、１４…クリーニングブレード、１５…クリーナ容器、１６，１６Ｃ，１６Ｍ，１６Ｙ，１６Ｋ…露光ヘッド、１７…媒体ガイド、１８…排紙トレイ、２０，２０Ｃ，２０Ｍ，２０Ｙ，２０Ｋ…現像部、２０Ｔ…ドラムモータ、２１…感光ドラム、２２…帯電ローラ、２３…クリーニングブレード、２４…現像ローラ、２５…現像ブレード、２６…供給ローラ、２９，２９Ｃ，２９Ｍ，２９Ｙ，２９Ｋ…トナー収容部、３０…転写部、３１，３１Ｃ，３１Ｍ，３１Ｙ，３１Ｋ…転写ローラ、３２…転写ベルト、３３…駆動ローラ、３３Ｔ…ベルトモータ、３４…従動ローラ、４０…定着部、４０Ｔ…ヒータモータ、４１…ヒートローラ、４２Ａ，４２Ｂ…ヒータ、４３…サーミスタ、４４…加圧ローラ、５１…インタフェース部、５２…画像処理部、５３…露光制御部、５４…表示部、５５…高圧電源部、５９，５９Ｃ…プリンタエンジン制御部、６０，６０Ａ…低圧電源部、６１…ＤＣ−ＤＣコンバータ、６１Ａ…ＡＣ−ＤＣコンバータ、６２…ＤＣ−ＡＣインバータ、９１…ヒューズ、９２…コモンモードコイル、９３〜９６…コンデンサ、１００…力率改善回路、１０１…ブリッジダイオード、１０２，１０３…ダイオード、１０４…電解コンデンサ、１０５〜１０８…抵抗素子、１１０，１２０…スイッチング回路、１１１，１２１…インダクタ、１１２，１２２…絶縁ゲートバイポーラトランジスタ（ＩＧＢＴ）、１１２Ｄ…ダイオード、１１３，１１４，１１５，１１８，１１９，１２３…抵抗素子、１１６…ＮＰＮトランジスタ、１１７…ＰＮＰトランジスタ、１３１，１３２…ダイオード、１３３，１３４，１３６，１３７…抵抗素子、１３５…コンデンサ、１４０…制御回路、２００…ゼロクロス検出回路、２０１，２０２…抵抗素子、２０３…コンデンサ、２０４…ブリッジダイオード、２０５…フォトカプラ、２０６，２０８，２０９，２１０，２１２…抵抗素子、２０７…ＮチャネルＦＥＴ、２１１…ＮＰＮトランジスタ、３００…スイッチング部、３０１…インダクタ、３０２…コンデンサ、３０３…コンデンサ、３０４，３０５，３０７，３０８，３６１〜３６３，３６５，３６６…抵抗素子、３０６…ＮＰＮトランジスタ、３０９…ＰＮＰトランジスタ、３６４…コンデンサ、３１０，３２０，３３０，３４０…スイッチング回路、３１１，３２１，３３１，３４１…絶縁ゲートバイポーラトランジスタ（ＩＧＢＴ）、３１１Ｄ…ダイオード、３１２…抵抗素子、３１３…ＮチャネルＦＥＴ、３１４…フォトカプラ、３１５，３１６…抵抗素子、３５０…電流検出回路、３５１…カレントトランス、３５２，３５４，３５５…抵抗素子、３５３…ダイオード、３５６…コンデンサ、３６７…低ドロップアウトリニアレギュレータ（ＬＤＯ）、３６８…ＰＷＭ信号生成回路、３７０，３８０…回路、３９０，３９０Ｃ…制御回路、３９１Ａ，３９１Ｂ…デューティ比テーブル、３９２…カウンタ、４００Ａ，４００Ｂ，４００Ｃ…ＤＣ−ＤＣコンバータ、４１０，４２０…ＡＣスイッチ、４１１…ＮチャネルＦＥＴ、４１２，４１４，４１６…抵抗素子、４１３…フォトトライアックカプラ、４１５…トライアック、ＡＣＩＮ，Ａ１，Ａ２，Ｂ１，Ｂ２，ＤＥＴ１，ＤＥＴ２，ＦＢ，ＯＶＰ，ＰＷＭＤ２，ＳＩ，ＳＴ…信号、ＧＤ１，ＧＤ２…ゲートドライブ信号、ＨＡ，ＨＢ…ヒータ制御信号、ＨＡ２，ＨＢ２，ＳＩ２…内部信号、Ｉin…入力電流値、ＰＷＭＡ，ＰＷＭＢ，ＰＷＭＣ，ＰＷＭＤ，ＰＷＭＥ，ＰＷＭＦ…ＰＷＭ信号、ＲＤＹ…レディ信号、ＲＸＤ，ＴＸＤ…データ信号、Ｓac1，Ｓac2，Ｓac2A，Ｓac2B…交流信号、ＳＣＫ…クロック信号、Ｓdc5，Ｓdc15A，Ｓdc15B，Ｓdc15C，Ｓdc24，Ｓdc0A，Ｓdc0B，Ｓdc0C…信号、ＳＺ…ゼロクロス信号、ＳＷＡ，ＳＷＢ…スイッチ制御信号、Ｔ１９１，Ｔ１９２，Ｔ３８１〜Ｔ３８４…端子、Ｖin…入力電圧値、Ｖout…出力電圧値、Ｖtarget…目標電圧値。
【図１】
0006509052.tif 000004
【図２】
0006509052.tif 000005
【図３】
0006509052.tif 000006
【図４】
0006509052.tif 000007
【図５】
0006509052.tif 000008
【図６】
0006509052.tif 000009
【図７】
0006509052.tif 000010
【図８】
0006509052.tif 000011
【図９】
0006509052.tif 000012
【図１０】
0006509052.tif 000013
【図１１】
0006509052.tif 000014
【図１２】
0006509052.tif 000015
【図１３】
0006509052.tif 000016
【図１４】
0006509052.tif 000017
【図１５】
0006509052.tif 000018
【図１６】
0006509052.tif 000019
【図１７】
0006509052.tif 000020
【図１８】
0006509052.tif 000021
【図１９】
0006509052.tif 000022
【図２０】
0006509052.tif 000023
【図２１】
0006509052.tif 000024
【図２２】
0006509052.tif 000025
【図２３】
0006509052.tif 000026
【図２４】
0006509052.tif 000027
【図２５】
0006509052.tif 000028
【図２６】
0006509052.tif 000029
【図２７】
0006509052.tif 000030
【図２８】
0006509052.tif 000031
【図２９】
0006509052.tif 000032
【図３０】
0006509052.tif 000033
【図３１】
0006509052.tif 000034